(57)【要約】モバイルデバイスは、しばしば、ネットワーク内のモバイルデバイスの位置情報を計算するために直交周波数分割多重（ＯＦＤＭ）を使用する。しかしながら、測位のための信号ソースとモバイルデバイスとの間の物理的距離および他の環境要因が、受信信号の信号強度に影響を及ぼし得る。特に２つの信号ソースが同じシンボルを占有するとき、モバイルデバイスにおけるより強い受信信号は、より弱い信号をかき消し得る。従来のＯＦＤＭでは、信号ソースは、各測位機会について同じシンボルを送信するので、より弱い信号は、より強い信号上で決して検出されず、それは測位計算の精度を低下させ得る。本明細書では、信号ソースからのより弱い信号が測位機会のうちの少なくともいくつかにおいて検出され得るように、ワイヤレスネットワーク中の信号ソースごとに指定されたシンボルを変更するためのパターンを使用するためのシステムおよび方法が説明される。【選択図】図３
2021521683.tif 000002
【特許請求の範囲】
【請求項１】
送信されたワイヤレス位置測定信号における衝突を低減するための方法であって、
複数の機会のうちの所与の機会について、前記所与の機会に関連付けられた一連の連続したシンボルを有するリソースブロックから選択された指定されたシンボルを識別するパターン式を、基地局によって取得することと、ここにおいて、前記リソースブロックの各シンボルは、前記所与の機会の各スロット内の一意の順序付けられた位置を有し、
前記基地局によって、前記複数の機会のうちの第１の機会について、前記パターン式を使用して、第１の順序付けられた位置を有する前記第１の機会についての前記指定されたシンボルを識別することと、
前記基地局によって、前記第１の機会についての前記指定されたシンボル中に、複数のサブキャリア周波数帯域のうちの第１のサブキャリア周波数帯域上で第１のワイヤレス位置測定信号の少なくとも一部分を送信することと、
前記基地局によって、前記複数の機会のうちの第２の機会について、前記パターン式を使用して、前記第１の順序付けられた位置とは異なる第２の順序付けられた位置を有する前記第２の機会についての前記指定されたシンボルを識別することと、
前記基地局によって、前記第２の機会についての前記指定されたシンボル中に、前記第１のサブキャリア周波数帯域上で第２のワイヤレス位置測定信号の少なくとも一部分を送信することと、
を備える、方法。
【請求項２】
前記パターン式が方程式であり、前記指定されたシンボルを識別することが、前記方程式を解くことを備える、請求項１に記載の方法。
【請求項３】
前記パターン式が、前記基地局の物理セル識別子（ＰＣＩ）に基づく、請求項１に記載の方法。
【請求項４】
前記パターン式が、前記基地局のグローバルセル識別子（ＧＣＩ）に基づく、請求項１に記載の方法。
【請求項５】
前記パターン式が、少なくとも部分的に、機会の番号に基づく、請求項１に記載の方法。
【請求項６】
前記基地局がサービング基地局であり、前記パターン式が第１のパターン式であり、前記方法が、
隣接基地局によって、前記所与の機会について、前記所与の機会に関連付けられた前記リソースブロックから選択された第２の指定されたシンボルを識別する第２のパターン式を取得することと、ここにおいて、前記第２のパターン式は、前記第１のパターン式とは異なり、
前記第１の機会について、前記第２のパターン式を使用して、前記第１の順序付けられた位置を有する前記第１の機会についての前記第２の指定されたシンボルを識別することと、
前記第１の機会についての前記第２の指定されたシンボル中に、前記第１のサブキャリア周波数帯域上で第３のワイヤレス位置測定信号の少なくとも一部分を送信することと、
前記第２の機会について、前記第２のパターン式を使用して、前記第２の順序付けられた位置とは異なる第３の順序付けられた位置を有する前記第２の機会についての前記第２の指定されたシンボルを識別することと、
前記第２の機会についての前記第２の指定されたシンボル中に、前記第１のサブキャリア周波数帯域上で第４のワイヤレス位置測定信号の少なくとも一部分を送信することと、
をさらに備える、請求項１に記載の方法。
【請求項７】
前記基地局がサービング基地局であり、前記第１の機会が、前記サービング基地局と位置合わせされた第１の時間的境界を有し、前記第２の機会が、前記サービング基地局と位置合わせされた第２の時間的境界を有し、前記パターン式が第１のパターン式であり、前記方法が、
隣接基地局によって、前記所与の機会について、前記所与の機会に関連付けられた前記リソースブロックから選択された第２の指定されたシンボルを識別する第２のパターン式を取得することと、ここにおいて、前記第２のパターン式は、前記第１のパターン式とは異なり、
前記第１の機会について、前記第２のパターン式を使用して、第３の順序付けられた位置を有する前記第１の機会についての前記第２の指定されたシンボルを識別することと、
前記第１の機会についての前記第２の指定されたシンボル中に、前記第１のサブキャリア周波数帯域上で第３のワイヤレス位置測定信号の少なくとも一部分を送信することと、ここにおいて、前記第３のワイヤレス位置測定信号の前記少なくとも一部分が、前記第１の時間的境界の外側で送信され、
前記第２の機会について、前記第２のパターン式を使用して、第４の順序付けられた位置を有する前記第２の機会についての前記第２の指定されたシンボルを識別することと、
前記第２の機会についての前記第２の指定されたシンボル中に、前記第１のサブキャリア周波数帯域上で第４のワイヤレス位置測定信号の少なくとも一部分を送信することと、ここにおいて、前記第４のワイヤレス位置測定信号の前記少なくとも一部分が、前記第２の時間的境界内で送信される、
をさらに備える、請求項１に記載の方法。
【請求項８】
前記第１の機会が、前記基地局および受信デバイスの各々によって知られている共通の時間フレームのアンカー時点において開始する、請求項１に記載の方法。
【請求項９】
前記第１のワイヤレス位置測定信号の前記少なくとも一部分が、ワイヤレス通信ネットワークを介して送信され、前記共通の時間フレームが、前記ワイヤレス通信ネットワークのシステムフレームナンバと位置合わせされる、請求項８に記載の方法。
【請求項１０】
前記共通の時間フレームが、全地球測位システム時間に基づく、請求項８に記載の方法。
【請求項１１】
モバイルデバイスにおける、複数の基地局からのワイヤレス位置測定信号の強化された検出のための方法であって、
前記モバイルデバイスにおいて、ワイヤレス通信ネットワークにおける基地局についての情報を取得することと、前記情報が、複数の機会のうちの所与の機会について、前記基地局のための指定されたシンボルを識別するパターン式を備え、ここにおいて、前記指定されたシンボルは、前記所与の機会に関連付けられた一連の連続したシンボルを有するリソースブロックから選択され、ここにおいて、前記リソースブロックの各シンボルは、前記所与の機会の各スロット内の一意の順序付けられた位置を有し、
前記複数の機会のうちの第１の機会についての前記パターン式に基づいて、前記基地局が第１のワイヤレス位置測定信号の少なくとも一部分を送信する、前記基地局のための前記指定されたシンボルを識別することと、
前記モバイルデバイスを用いて、前記基地局のための前記指定されたシンボルに基づいて、前記第１のワイヤレス位置測定信号の前記少なくとも一部分の測定を行うことと、
を備える、方法。
【請求項１２】
前記基地局がそこで送信する複数のサブキャリア周波数帯域のうちの１つのサブキャリア周波数帯域を識別すること、
ここにおいて、前記第１のワイヤレス位置測定信号の前記少なくとも一部分の前記測定を行うことは、前記基地局のための前記指定されたシンボルに基づいて、前記サブキャリア周波数帯域上で前記第１のワイヤレス位置測定信号の前記少なくとも一部分の前記測定を行うことを備える、
をさらに備える、請求項１１に記載の方法。
【請求項１３】
前記パターン式が方程式であり、前記指定されたシンボルを識別することが、前記方程式を解くことを備える、請求項１１に記載の方法。
【請求項１４】
前記パターン式が、前記基地局の物理セル識別子（ＰＣＩ）に基づく、請求項１１に記載の方法。
【請求項１５】
前記パターン式が、前記基地局のグローバルセル識別子（ＧＣＩ）に基づく、請求項１１に記載の方法。
【請求項１６】
前記パターン式が、少なくとも部分的に、機会の番号に基づく、請求項１１に記載の方法。
【請求項１７】
前記第１の機会が、前記基地局および前記モバイルデバイスの各々によって知られている共通の時間フレームのアンカー時点において開始する、請求項１１に記載の方法。
【請求項１８】
前記共通の時間フレームが、前記ワイヤレス通信ネットワークのシステムフレームナンバと位置合わせされる、請求項１７に記載の方法。
【請求項１９】
前記共通の時間フレームが、全地球測位システム時間に基づく、請求項１７に記載の方法。
【請求項２０】
送信されたワイヤレス位置測定信号における衝突を低減するための基地局であって、
メモリと、
前記メモリに結合された１つまたは複数の処理ユニットと、
を備え、ここにおいて、前記１つまたは複数の処理ユニットは、
複数の機会のうちの所与の機会について、前記所与の機会に関連付けられた一連の連続したシンボルを有するリソースブロックから選択された指定されたシンボルを識別するパターン式を取得することと、ここにおいて、前記リソースブロックの各シンボルは、前記所与の機会の各スロット内の一意の順序付けられた位置を有し、
前記複数の機会のうちの第１の機会について、前記パターン式を使用して、第１の順序付けられた位置を有する前記第１の機会についての前記指定されたシンボルを識別することと、
前記第１の機会についての前記指定されたシンボル中に、複数のサブキャリア周波数帯域のうちの第１のサブキャリア周波数帯域上で第１のワイヤレス位置測定信号の少なくとも一部分を送信することと、
前記複数の機会のうちの第２の機会について、前記パターン式を使用して、前記第１の順序付けられた位置とは異なる第２の順序付けられた位置を有する前記第２の機会についての前記指定されたシンボルを識別することと、
前記第２の機会についての前記指定されたシンボル中に、前記第１のサブキャリア周波数帯域上で第２のワイヤレス位置測定信号の少なくとも一部分を送信することと、
を行うように構成される、基地局。
【請求項２１】
前記パターン式が方程式であり、前記指定されたシンボルを識別することが、前記方程式を解くことを備える、請求項２０に記載の基地局。
【請求項２２】
前記パターン式が、前記基地局の物理セル識別子（ＰＣＩ）に基づく、請求項２０に記載の基地局。
【請求項２３】
前記パターン式が、前記基地局のグローバルセル識別子（ＧＣＩ）に基づく、請求項２０に記載の基地局。
【請求項２４】
前記パターン式が、少なくとも部分的に、機会の番号に基づく、請求項２０に記載の基地局。
【請求項２５】
前記第１の機会が、前記基地局および受信デバイスの各々によって知られている共通の時間フレームのアンカー時点において開始する、請求項２０に記載の基地局。
【請求項２６】
前記第１のワイヤレス位置測定信号の前記少なくとも一部分が、ワイヤレス通信ネットワークを介して送信され、前記共通の時間フレームが、前記ワイヤレス通信ネットワークのシステムフレームナンバと位置合わせされる、請求項２５に記載の基地局。
【請求項２７】
前記共通の時間フレームが、全地球測位システム時間に基づく、請求項２５に記載の基地局。
【請求項２８】
複数の基地局からのワイヤレス位置測定信号の強化された検出のために構成されたモバイルデバイスであって、
メモリと、
ワイヤレス通信インタフェースと、
前記メモリおよび前記ワイヤレス通信インタフェースに結合された１つまたは複数の処理ユニットと、
を備え、ここにおいて、前記１つまたは複数の処理ユニットは、
ワイヤレス通信ネットワークにおける基地局についての情報を取得することと、前記情報が、複数の機会のうちの所与の機会について、前記基地局のための指定されたシンボルを識別するパターン式を備え、ここにおいて、前記指定されたシンボルは、前記所与の機会に関連付けられた一連の連続したシンボルを有するリソースブロックから選択され、ここにおいて、前記リソースブロックの各シンボルは、前記所与の機会の各スロット内の一意の順序付けられた位置を有し、
前記複数の機会のうちの第１の機会についての前記パターン式に基づいて、前記基地局が第１のワイヤレス位置測定信号の少なくとも一部分を送信する、前記基地局のための前記指定されたシンボルを識別することと、
前記基地局のための前記指定されたシンボルに基づいて、前記第１のワイヤレス位置測定信号の前記少なくとも一部分の測定値を取得することと、
を行うように構成される、モバイルデバイス。
【請求項２９】
前記パターン式が方程式であり、前記指定されたシンボルを識別することが、前記方程式を解くことを備える、請求項２８に記載のモバイルデバイス。
【請求項３０】
前記パターン式が、前記基地局の物理セル識別子（ＰＣＩ）に基づく、請求項２８に記載のモバイルデバイス。
【請求項３１】
前記パターン式が、前記基地局のグローバルセル識別子（ＧＣＩ）に基づく、請求項２８に記載のモバイルデバイス。
【請求項３２】
前記第１の機会が、前記基地局および前記モバイルデバイスの各々によって知られている共通の時間フレームのアンカー時点において開始する、請求項２８に記載のモバイルデバイス。
【請求項３３】
前記共通の時間フレームが、前記ワイヤレス通信ネットワークのシステムフレームナンバと位置合わせされる、請求項３２に記載のモバイルデバイス。
【請求項３４】
前記共通の時間フレームが、全地球測位システム時間に基づく、請求項３２に記載のモバイルデバイス。
【発明の詳細な説明】
【技術分野】
【０００１】
１．分野
[0001]  本明細書で開示する主題は、電子デバイスに関し、より詳細には、ワイヤレスネットワークを使用してモバイルデバイスのナビゲーションおよび位置特定をサポートするために使用するための方法および装置に関する。
【背景技術】
【０００２】
２．情報
[0002]  ワイヤレスネットワークにアクセスしているモバイルデバイスのロケーションまたは位置を取得することは、例えば、緊急呼び出し、パーソナルナビゲーション、アセットトラッキング、友人または家族の位置特定などを含む多くの適用例に有用であり得る。既存の測位方法（position method）は、基地局およびアクセスポイントなどの、ワイヤレスネットワーク内の地上波無線ソースおよび衛星ビークル（ＳＶ）を含む様々なデバイスから送信された無線信号を測定することに基づく方法を含む。いくつかの場合には、無線ソースから送信される無線信号は、無線信号が複数のサブキャリア周波数上で送信され得るように、直交周波数分割多重（ＯＦＤＭ）のために配置される。ワイヤレスネットワークでは、モバイルデバイスは、無線信号の１つのソースに、別のソースよりも近く、それにより、より近いソースがより遠いソースよりも強い信号を有し得る。他の環境要因も、様々なソースから受信される無線信号の強度に影響し得る。１つのソースからのより強い信号は、別のソースからのより弱い信号を妨げるか、またはかき消し得る。本明細書で開示する実施形態は、モバイルデバイスが、あるソースからの信号を、別のソースからのより強い信号によってその信号が妨げられるまたはかき消されることなく受信することを可能にし、それによりワイヤレスネットワークにおけるモバイルデバイスのより正確な測位および位置特定を可能にする技法を実装することによって、これらの問題に対処する。
【０００３】
[0003]  非限定的で非網羅的な態様が、以下の図を参照して説明される。
【図面の簡単な説明】
【０００４】
【図１】[0004]  図１は、一実施形態による、ユーザ機器（ＵＥ）について位置を決定するために５Ｇセルラネットワークを利用し得る通信システムの図を示す。
【図２】[0005]  図２は、ＯＦＤＭ信号の高レベル構造を示す。
【図３】[0006]  図３は、一実施形態による、複数の機会にわたる２つの無線信号ソースについてのシンボルホッピングの視覚的描写を示す。
【図４】[0007]  図４は、一実施形態による、スロット境界が位置合わせされていないときの２つの無線信号ソースについてのシンボルホッピング重複の視覚的描写を示す。
【図５】[0008]  図５は、一実施形態による、シンボルホッピングを使用してソース無線信号を提供するための方法の流れ図を示す。
【図６】[0009]  図６は、一実施形態による、シンボルホッピングを使用してソース無線信号を提供するための方法の別の流れ図を示す。
【図７】[0010]  図７は、一実施形態による、シンボルホッピングを使用してソース無線信号を処理するための方法の流れ図を示す。
【図８】[0011]  図８は、ＵＥの実施形態を示す。
【図９】[0012]  図９は、コンピュータシステムの実施形態を示す。
【図１０】[0013]  図１０は、基地局の実施形態を示す。
【０００５】
[0014]  様々な図における同様の参照番号およびシンボルは、ある特定の例示的な実装形態による同様の要素を示す。加えて、ある要素の複数のインスタンスは、その要素についての第１の数字にハイフンと第２の数字を付けることによって示され得る。例えば、要素１１０の複数のインスタンスは、１１０−１、１１０−２、１１０−３などとして示され得る。第１の数字のみを使用してそのような要素を指すとき、その要素の任意のインスタンスが把握されるべきである（例えば、前の例における要素１１０は、要素１１０−１、１１０−２、および１１０−３を指すことになる）。
【詳細な説明】
【０００６】
[0015]  ユーザ機器（ＵＥ）のロケーションを決定するためのいくつかの例示的な技法が本明細書で提示され、それは、基地局、ロケーションサーバ（ＬＳ）、ＵＥ（例えば、モバイルデバイスまたはモバイル局）、および／または他のデバイスにおいて実装され得る。これらの技法は、第３世代パートナーシッププロジェクト（３ＧＰＰ（登録商標））、オープンモバイルアライアンス（ＯＭＡ）ロングタームエボリューション（ＬＴＥ（登録商標））測位プロトコル（ＬＰＰ）および／またはＬＰＰ拡張（ＬＰＰｅ）、Ｗｉ−Ｆｉ（登録商標）、グローバルナビゲーション衛星システム（ＧＮＳＳ）、および同様のものを含む、様々な技術および／または規格を利用する様々な適用例において利用され得る。
【０００７】
[0016]  ＵＥのロケーションを決定するための測位方法は、無線ソース（例えば、基地局）からの測位信号の観測された到着時間差（ＯＴＤＯＡ）、擬似距離、到来角（ＡｏＡ）、出発角（ＡｏＤ）、受信電力レベル、および／または往復時間（ＲＴＴ）に基づき得る。ＯＴＤＯＡでは、ＵＥは、１つまたは複数のペアの基地局によって送信される基準信号間の、基準信号時間差（ＲＳＴＤ）と呼ばれる時間差を測定する。基準信号は、ＬＴＥ測位基準信号（ＰＲＳ）などの測位（すなわち、ロケーション決定）を対象とする信号であり得るか、またはＬＴＥセル固有基準信号（ＣＲＳ）もしくは５Ｇトラッキング基準信号（ＴＲＳ）などのサービングセルタイミングおよび周波数取得も対象とする信号であり得る。ＵＥが、２以上の異なるペアの基地局（通常、各ペアにおける共通の基準基地局と、異なる隣接基地局とを備える）の間の２以上のＲＳＴＤを測定することができる場合、基地局の相対的タイミングおよびアンテナロケーションが知られている場合には水平ＵＥロケーションが取得され得る。いくつかの場合には、直交周波数分割多重（ＯＦＤＭ）が使用され、信号（例えば、ＰＲＳ、ＣＲＳ、またはＴＲＳ）は、例えば、チャネル等化を簡略化するためにサブキャリア周波数上に配置される。
【０００８】
[0017]  そのような測位方法は、モバイルデバイスによって受信されるソース基地局からの信号強度に影響を及ぼし得る様々な要因（例えば、距離または環境要因）の影響を受け得る。例えば、モバイルデバイスは、モバイルデバイスに最も近い第１の基地局から強い信号を受信し、モバイルデバイスからの距離がさらに遠い第２の基地局からより弱い信号を受信し得る。別の例として、基地局とモバイルデバイスとの間の見通し線を遮る建物または他の物体を有する基地局からよりも、モバイル局への直接の見通し線を有する基地局から、より強い信号が、モバイルデバイスによって受信され得る。さらに別の例として、他のデバイスからの干渉（例えば、電磁干渉）が、モバイルデバイスにおいて受信される信号の信号強度に影響し得る。２つの信号がモバイルデバイスによって受信されるとき、より強い信号がより弱い信号を、モバイルデバイスがそのより弱い信号を検出、登録、または処理しない可能性がある程、かき消し得る。そのような場合、モバイルデバイスの位置決定は、位置が決定されることができないか、または不正確に決定されるように影響を受け得る。
【０００９】
[0018]  第５世代（５Ｇ）標準化は、ＯＴＤＯＡ、電力測定値、およびＲＴＴに基づく測位方法のためのサポートを含むことが予想される。本明細書で説明する技法、方法、およびシステムは、既存のネットワークインフラストラクチャに加えて、５Ｇネットワーク（ワイヤレスまたはセルラ）に適用され得る。
【００１０】
[0019]  本明細書で説明する実施形態は、上記で説明した問題を軽減するためにＯＦＤＭおよびシンボルホッピングを使用してモバイルデバイスの位置またはロケーションを決定するための技法を対象とする。
【００１１】
[0020]  図１は、一実施形態による、ＯＴＤＯＡベースの測位方法を使用してＵＥ１０５の位置を決定するために５Ｇネットワークを利用し得る通信システム１００の図を示す。ここで、通信システム１００は、ＵＥ１０５と、ＯＴＤＯＡベースの測位を提供するとともにＵＥ１０５にデータおよび音声通信を提供し得る、５Ｇコアネットワーク（５ＧＣ）１４０および次世代（ＮＧ）無線アクセスネットワーク（ＲＡＮ）（ＮＧ−ＲＡＮ）１３５を備える５Ｇネットワークとを備える。５Ｇネットワークは、新無線（ＮＲ）ネットワークとも呼ばれ得、ＮＧ−ＲＡＮ１３５は、５Ｇ  ＲＡＮまたはＮＲ  ＲＡＮと呼ばれ得、５ＧＣ１４０は、ＮＧコアネットワーク（ＮＧＣ）と呼ばれ得る。ＮＧ−ＲＡＮおよび５ＧＣの標準化は、３ＧＰＰで進行中である。したがって、ＮＧ−ＲＡＮ１３５および５ＧＣ１４０は、３ＧＰＰからの５Ｇサポートのための現在または将来の規格に準拠し得る。通信システム１００は、ＧＮＳＳ衛星ビークル（ＳＶ）１９０からの情報をさらに利用し得る。通信システム１００の追加の構成要素が以下で説明される。通信システム１００は、追加または代替の構成要素を含み得ることが理解されよう。
【００１２】
[0021]  図１は、単に様々な構成要素の一般化された図を提供するものであり、それらのうちのいずれかまたはすべてが適宜利用され得、それらの各々が必要に応じて複製され得ることに留意されたい。具体的には、１つのＵＥ１０５のみが示されているが、多くのＵＥ（例えば、百、千、百万など）が通信システム１００を利用し得ることが理解されよう。同様に、通信システム１００は、より多くの（またはより少ない）数のＳＶ１９０、ｇＮＢ１１０、ｎｇ−ｅＮＢ１１４、アクセスおよびモビリティ管理機能（ＡＭＦ）９５、外部クライアント１３０、および／または他の構成要素を含み得る。通信システム１００内の様々な構成要素を接続する図示された接続は、追加の（中間）構成要素を含み得るデータおよびシグナリング接続、直接または間接の物理的および／またはワイヤレス接続、および／または追加のネットワークを備える。さらに、構成要素は、所望の機能に応じて、並べ替えられ、組み合わせられ、分離され、置換され、および／または省略され得る。
【００１３】
[0022]  ＵＥ１０５は、デバイス、モバイルデバイス、ワイヤレスデバイス、モバイル端末、端末、モバイル局（ＭＳ）、セキュアユーザプレーンロケーション（ＳＵＰＬ）対応端末（ＳＥＴ）、または何らかの他の名称で呼ばれ得る、および／またはそれらを備え得る。さらに、上述のように、ＵＥ１０５は、携帯電話、スマートフォン、ラップトップ、タブレット、ＰＤＡ、追跡デバイス、ナビゲーションデバイス、モノのインターネット（ＩｏＴ）デバイス、または何らかの他のポータブルもしくは可動デバイスを含む様々なデバイスのいずれにも対応し得る。必ずしもそうではないが、通常、ＵＥ１０５は、１つまたは複数の無線アクセス技術（ＲＡＴ）を使用して、例えば、モバイル通信のためのグローバルシステム（ＧＳＭ（登録商標））、符号分割多元接続（ＣＤＭＡ）、広帯域ＣＤＭＡ（ＷＣＤＭＡ（登録商標））、ロングタームエボリューション（ＬＴＥ）、高速パケットデータ（ＨＲＰＤ）、ＩＥＥＥ８０２．１１ＷｉＦｉ（Ｗｉ−Ｆｉとも呼ばれる）、Ｂｌｕｅｔｏｏｔｈ（登録商標）（ＢＴ）、ＷｉＭＡＸ（Worldwide Interoperability for Microwave Access）、５Ｇ新無線（ＮＲ）（例えば、ＮＧ−ＲＡＮ１３５および５ＧＣ１４０を使用する）などを使用して、ワイヤレス通信をサポートし得る。ＵＥ１０５はまた、例えば、デジタル加入者線（ＤＳＬ）またはパケットケーブルを使用して他のネットワーク（例えば、インターネット）に接続し得るワイヤレスローカルエリアネットワーク（ＷＬＡＮ）を使用してワイヤレス通信をサポートし得る。これらのＲＡＴのうちの１つまたは複数のＲＡＴの使用は、ＵＥ１０５が（例えば、図１に示されていない５ＧＣ１４０の要素を介して、または場合によってはゲートウェイモバイルロケーションセンター（ＧＭＬＣ）１２５を介して）外部クライアント１３０と通信することを可能にし、および／または外部クライアント１３０が（例えば、ＧＭＬＣ１２５を介して）ＵＥ１０５に関するロケーション情報を受信することを可能にし得る。
【００１４】
[0023]  ＵＥ１０５は、ユーザがオーディオ、ビデオ、データＩ／Ｏデバイスおよび／または身体センサ、ならびに別個のワイヤラインもしくはワイヤレスモデムを採用し得るパーソナルエリアネットワークなどにおいて複数のエンティティを備え得るか、または単一のエンティティを備え得る。ＵＥ１０５のロケーションの推定値は、ロケーション、ロケーション推定値、ロケーションフィックス、フィックス、位置、位置推定値、または位置フィックスと呼ばれ得、地理的であり得、したがって、高度構成要素（例えば、平均海水面上の高さ、地表面、床面、または地下面上の高さまたはそれらの下の深さ）を含み得るか、または含まない可能性のある、ＵＥ１０５についてのロケーション座標（例えば、緯度および経度）を提供する。代替的に、ＵＥ１０５のロケーションは、都市ロケーションとして（例えば、郵便の住所、または特定の部屋もしくはフロアなどの建物内の何らかのポイントもしくは小さいエリアの指定として）表され得る。ＵＥ１０５のロケーションはまた、ＵＥ１０５が何らかの確率または信頼性レベル（例えば、６７％、９５％、または同様のもの）で位置すると予想される（地理的にまたは都市形態で定義される）エリアまたはボリュームとして表され得る。ＵＥ１０５のロケーションはさらに、例えば、地理的に、都市的に、またはマップ、間取図、もしくは建物の設計図上に示されたポイント、エリア、もしくはボリュームを参照することによって定義され得る既知のロケーションにおけるある原点に対して定義される、距離および方向または相対的なＸ、Ｙ（およびいくつかの実施形態では、Ｚ）座標を備える、相対ロケーションであり得る。本明細書に含まれる説明において、ロケーションという用語の使用は、別段の記載がない限り、これらの変形のうちのいずれかを備え得る。
【００１５】
[0024]  ＮＧ−ＲＡＮ１３５中の基地局は、より一般的にはｇＮＢと呼ばれるＮＲノードＢを備え得る。図１では、３つのｇＮＢ、すなわちｇＮＢ１１０−１、１１０−２、および１１０−３が示されており、これらは本明細書では集合的および総称的にｇＮＢ１１０と呼ばれる。しかしながら、典型的なＮＧ  ＲＡＮ１３５は、数十、数百、または数千ものｇＮＢ１１０を備えることができる。ＮＧ−ＲＡＮ１３５内のｇＮＢ１１０のペアは、互いに接続され得る（図１には図示せず）。５Ｇネットワークへのアクセスは、ＵＥ１０５とｇＮＢ１１０のうちの１つまたは複数との間のワイヤレス通信を介してＵＥ１０５に提供され、ｇＮＢは、５Ｇ（ＮＲとも呼ばれる）を使用してＵＥ１０５の代わりに５ＧＣ１４０にワイヤレス通信アクセスを提供し得る。図１では、ＵＥ１０５のためのサービングｇＮＢはｇＮＢ１１０−１であると仮定されるが、他のｇＮＢ（例えば、ｇＮＢ１１０−２および／またはｇＮＢ１１０−３）は、ＵＥ１０５が別のロケーションに移動する場合、サービングｇＮＢとして働き得るか、または追加のスループットおよび帯域幅をＵＥ１０５に提供するためのセカンダリｇＮＢとして働き得る。
【００１６】
[0025]  図１に示されるＮＧ−ＲＡＮ１３５中の基地局（ＢＳ）はまた、もしくは代わりに、ｎｇ−ｅＮＢ１１４とも呼ばれる次世代発展型ノードＢを含み得る。Ｎｇ−ｅＮＢ１１４は、例えば、他のｇＮＢ１１０を介して、および／または他のｎｇ−ｅＮＢを介して、直接または間接的に、ＮＧ−ＲＡＮ１３５内の１つまたは複数のｇＮＢ１１０に接続され得る（図１には図示せず）。ｎｇ−ｅＮＢ１１４は、ＬＴＥワイヤレスアクセスおよび／または発展型ＬＴＥ（ｅＬＴＥ）ワイヤレスアクセスをＵＥ１０５に提供し得る。図１におけるいくつかのｇＮＢ１１０（例えば、ｇＮＢ１１０−２）および／またはｎｇ−ｅＮＢ１１４は、信号（例えば、本明細書で説明される測位測定信号）を送信し得る、および／またはＵＥ１０５の測位を支援するための支援データをブロードキャストし得るが、ＵＥ１０５からまたは他のＵＥから信号を受信しない可能性のある、測位専用ビーコンとして機能するように構成され得る。１つのｎｇ−ｅＮＢ１１４のみが図１に示されているが、以下の説明は、時に複数のｎｇ−ｅＮＢ１１４の存在を前提とすることに留意されたい。
【００１７】
[0026]  述べたように、図１は、５Ｇ通信プロトコルに従って通信するように構成されたノードを示すが、例えば、ＬＰＰプロトコルまたはＩＥＥＥ８０２．１１ｘプロトコルなどの他の通信プロトコルに従って通信するように構成されたノードが使用され得る。例えば、ＬＴＥワイヤレスアクセスをＵＥ１０５に提供する発展型パケットシステム（ＥＰＳ）では、ＲＡＮは、ＬＴＥワイヤレスアクセスをサポートする発展型ノードＢ（ｅＮＢ）を備える基地局を備え得る、発展型ユニバーサルモバイル電気通信システム（ＵＭＴＳ）地上無線アクセスネットワーク（Ｅ−ＵＴＲＡＮ）を備え得る。ＥＰＳのためのコアネットワークは、発展型パケットコア（ＥＰＣ）を備え得る。するとＥＰＳは、Ｅ−ＵＴＲＡＮ＋ＥＰＣを備え得、Ｅ−ＵＴＲＡＮは、図１のＮＧ−ＲＡＮ１３５に対応し、ＥＰＣは、５ＧＣ１４０に対応する。ＵＥ１０５の測位のサポートのための本明細書で説明される位置測定信号は、そのような他のネットワークに適用可能であり得る。
【００１８】
[0027]  ｇＮＢ１１０およびｎｇ−ｅＮＢ１１４は、測位機能のためにロケーション管理機能（ＬＭＦ）１２０と通信することができるＡＭＦ１１５と通信することができる。ＡＭＦ１１５は、セル変更およびハンドオーバを含むＵＥ１０５のモビリティをサポートし得、ＵＥ１０５へのシグナリング接続、ならびに場合によってはＵＥ１０５のためのデータおよび音声ベアラをサポートすることに参加し得る。ＬＭＦ１２０は、ＵＥ１０５がＮＧ−ＲＡＮ１３５にアクセスするときにＵＥ１０５の測位をサポートし得、（本明細書で説明される測位測定信号を利用することができる）観測された到着時間差（ＯＴＤＯＡ）などの測位方法をサポートし得る。ＬＭＦ１２０はまた、（例えば、ＡＭＦ１１５からまたはＧＭＬＣ１２５から受信される）ＵＥ１０５のためのロケーションサービス要求を処理し得る。ＬＭＦ１２０は、ＡＭＦ１１５におよび／またはＧＭＬＣ１２５に接続され得る。いくつかの実施形態では、ＵＥ１０５のロケーションの導出を含む測位機能の少なくとも一部は、（例えば、ｇＮＢ１１０およびｎｇ−ｅＮＢ１１４などのワイヤレスノードによって送信される位置測定信号についてＵＥ１０５によって取得された信号測定値と、例えば、ＬＭＦ１２０によってＵＥ１０５に提供される支援データとを使用して）ＵＥ１０５において実行され得ることに留意されたい。
【００１９】
[0028]  ゲートウェイモバイルロケーションセンター（ＧＭＬＣ）１２５は、外部クライアント１３０から受信されるＵＥ１０５についてのロケーション要求をサポートし得る。ＧＭＬＣ１２５は、ＡＭＦ１１５によってＬＭＦ１２０に転送するために、そのようなロケーション要求をＡＭＦ１１５に転送し得る。一実施形態では、ＧＭＬＣ１２５は、ロケーション要求をＬＭＦ１２０に直接転送し得る。ＬＭＦ１２０からのロケーション応答（例えば、ＵＥ１０５についてのロケーション推定値を含む）は、同様に、直接またはＡＭＦ１１５を介してのいずれかでＧＭＬＣ１２５に返され得、ＧＭＬＣ１２５は次いで、そのロケーション応答（例えば、ロケーション推定値を含む）を外部クライアント１３０に返し得る。ＧＭＬＣ１２５は、図１ではＡＭＦ１１５およびＬＭＦ１２０の両方に接続されて示されているが、いくつかの実装形態では、これらの接続のうちの１つのみが５ＧＣ１４０によってサポートされ得る。
【００２０】
[0029]  述べたように、通信システム１００は５Ｇ技術に関して説明されるが、通信システム１００は、（例えば、音声、データ、測位、および他の機能を実装するために）ＵＥ１０５などのモバイルデバイスをサポートする、およびそれらと相互作用するために使用されるＧＳＭ、ＷＣＤＭＡ、ＬＴＥ、および同様のものなどの他の通信技術をサポートするように実装され得る。いくつかのそのような実施形態では、５ＧＣ１４０は、異なるエアインタフェースを制御するように構成され得る。例えば、いくつかの実施形態では、５ＧＣ１４０は、５ＧＣ１４０内の非３ＧＰＰインターワーキング機能（Ｎ３ＩＷＦ、図１には図示せず）を使用して、ＷＬＡＮに接続され得る。例えば、ＷＬＡＮは、ＵＥ１０５のためのＩＥＥＥ８０２．１１ＷｉＦｉアクセスをサポートし得、１つまたは複数のＷｉＦｉ  ＡＰを備え得る。ここで、Ｎ３ＩＷＦは、ＷＬＡＮと、ＡＭＦ１１５などの５ＧＣ１４０内の他の要素とに接続し得る。いくつかの他の実施形態では、ＮＧ−ＲＡＮ１３５および５ＧＣ１４０の両方が、他のＲＡＮおよび他のコアネットワークによって置き換えられ得る。例えば、ＥＰＳでは、ＮＧ−ＲＡＮ１３５は、ｅＮＢを含むＥ−ＵＴＲＡＮによって置き換えられ得、５ＧＣ１４０は、ＡＭＦ１１５の代わりにモビリティ管理エンティティ（ＭＭＥ）、ＬＭＦ１２０の代わりに発展型サービングモバイルロケーションセンター（Ｅ−ＳＭＬＣ）、およびＧＭＬＣ１２５と同様であり得るＧＭＬＣを含むＥＰＣによって置き換えられ得る。そのようなＥＰＳでは、Ｅ−ＳＭＬＣは、Ｅ−ＵＴＲＡＮ中のｅＮＢへロケーション情報を送り得、およびＥ−ＵＴＲＡＮ中のｅＮＢからロケーション情報を受信し得、ＵＥ１０５の測位をサポートし得る。これらの他の実施形態では、ＵＥ１０５の測位は、５Ｇネットワークについて本明細書で説明されるものと類似した様式でサポートされ得、相違点は、ｇＮＢ１１０、ｎｇ−ｅＮＢ１１４、ＡＭＦ１１５、およびＬＭＦ１２０について本明細書で説明される機能およびプロシージャが、いくつかの場合には、代わりに、ｅＮＢ、ＷｉＦｉ  ＡＰ、ＭＭＥ、およびＥ−ＳＭＬＣなどの他のネットワーク要素に適用され得ることである。
【００２１】
[0030]  通信システム１００によるＵＥ１０５の位置決定は、通常、ＵＥ１０５と複数の基地局１１０、１１４の各々との間の距離（例えば、それぞれ、ＵＥ１０５とＧＮＢ１１０−１との間、１１０−２との間、および１１０−３との間の距離Ｄ１、Ｄ２、およびＤ３）を決定することと、三辺測量を使用してＵＥロケーションを決定することとを伴う。上述したように、これらの距離を決定するために、ＵＥ１０５は、これらの基地局１１０、１１４によって送信される位置測定信号（本明細書において以下で説明する基準信号を含む）を測定することができる。ＲＳＴＤ測定に基づくＯＴＤＯＡを使用する位置決定は、例えば、通常、基地局１１０、１１４によるこれらの基準信号の送信の同期、または基地局１１０、１１４のペア間のＲＴＴの何らかの他の方法で取得された知識のいずれかを必要とする。ＬＭＦ１２０は通常この知識を有し、したがって、様々な基地局１１０、１１４の、ＵＥ１０５によって取得される（例えば、測定される）測定値に基づく非同期ネットワークにおける位置決定は、例えば、ＬＭＦ１２０がＵＥ１０５から測定値を受信した後にＵＥ１０５の位置を決定すること、またはＵＥ１０５がＬＭＦ１２０からＲＴＴ情報を受信した後にそれ自身の位置を決定することを伴い得る。ＬＴＥネットワークでは、測位基準信号（ＰＲＳ）は、通常、ＯＴＤＯＡ測位のためにこれらのＲＳＴＤ測定を行うために使用される。
【００２２】
[0031]  図２は、スロットを規定する多数のシンボルと、サブフレームを規定する１つ（１）または複数のスロットと、無線フレームを規定する多数のサブフレームとを示す、ＯＦＤＭ信号の高レベル信号構造を示す。例として、以下の説明は、参照のために提供される、ＰＲＳ測位機会を有するＬＴＥサブフレームシーケンスの例を使用する。図２では、図示されるように、時間は、左から右に時間が増加するように水平に（例えば、Ｘ軸上に）表され、周波数は、下から上に周波数が増加（または減少）するように垂直に（例えば、Ｙ軸上に）表される。図２に示されるように、ダウンリンクおよびアップリンク無線フレーム２１０が示される。一例として、ＬＴＥネットワークでは、ダウンリンクおよびアップリンク無線フレーム２１０は、各々１０ｍｓの持続時間である。ＬＴＥの例を続けると、ダウンリンク周波数分割複信（ＦＤＤ）モードの場合、無線フレーム２１０は、各々１ｍｓの持続時間の１０個のサブフレーム２１２で構成される。各サブフレーム２１２は、各々０．５ｍｓの持続時間の２つのスロット２１４を備える。ＬＴＥでは、これらの無線フレーム２１０は、図１の基地局１１０、１１４と同様の基地局によって送信される。ＰＲＳは、エリア内のいずれのＵＥによっても検出され得、したがって、これらの基地局によって「ブロードキャスト」されると考えられる。いずれの受信デバイス（例えば、ブロードキャスト信号を受信するＵＥ）も、測位のためにそのＰＲＳを使用することができる。
【００２３】
[0032]  周波数領域では、利用可能な帯域幅は、均一に間隔を空けられた直交サブキャリア２１６に分割され得る。例えば、１５ｋＨｚ間隔を使用する通常の長さのサイクリックプレフィックスの場合、サブキャリア２１６は、１２個のサブキャリアまたは「周波数ビン」のグループにグループ化され得る。各サブキャリアは、予め定義された周波数帯域のサブキャリア周波数帯域と見なされ得る。１２個のサブキャリア２１６を備える各グルーピングは、「リソースブロック」（または「物理リソースブロック」（ＰＲＢ））と呼ばれ、この例では、リソースブロック中のサブキャリアの数は、
【００２４】
【数１】
2021521683.tif 000003
【００２５】
と書かれ得る。所与のチャネル帯域幅について、送信帯域幅構成２２２とも呼ばれる各チャネル２２２上の利用可能なリソースブロックの数は、
【００２６】
【数２】
2021521683.tif 000004
【００２７】
として示される。例えば、上記の例における３ＭＨｚのチャネル帯域幅の場合、各チャネル２２２上の利用可能なリソースブロックの数は、
【００２８】
【数３】
2021521683.tif 000005
【００２９】
によって与えられる。
【００３０】
[0033]  したがって、リソースブロックは、周波数および時間リソースの単位として説明され得る。ＬＴＥの例では、リソースブロックは、無線フレーム２１０の１つのサブフレーム２１２（２つのスロット２１４）および１２個のサブキャリアを備える。各スロット２１４は、（ダウンリンク（ＤＬ）無線フレームのために）基地局が、または（アップリンク（ＵＬ）無線フレームのために）ＵＥがＲＦ信号を送信し得る６つの（またはいくつかの場合にはＬＴＥネットワークでは７つの）期間または「シンボル」を備える。１２×１２または１４×１２のグリッド内の各１サブキャリア×１シンボルのセルは、フレームの最小の個別部分であり、物理チャネルまたは信号からのデータを表す単一の複素数値を含む「リソース要素」（ＲＥ）を表す。
【００３１】
[0034]  ＰＲＳのような信号は、測位「機会」にグループ化された特殊測位サブフレーム中で送信され得る。例えば、ＬＴＥでは、ＰＲＳ機会は、ある数Ｎの連続する測位サブフレーム２１８を備えることができ、ここで、数Ｎは、１と１６０との間であり得る（例えば、値１、２、４、および６ならびに他の値を含み得る）。基地局によってサポートされるセルのためのＰＲＳ機会は、ミリ秒（またはサブフレーム）間隔の、数Ｔによって示される間隔２２０において周期的に発生し得、ここで、Ｔは、５、１０、２０、４０、８０、１６０、３２０、６４０、１２８０に等しい可能性がある。一例として、図２は、Ｎが４に等しく、Ｔが２０以上であるＰＲＳ機会の周期性を示す。いくつかの実施形態では、Ｔは、連続するＰＲＳ機会の開始間のサブフレームの数で測定され得る。
【００３２】
[0035]  ＰＲＳは、他のＰＲＳ構成パラメータ（例えば、Ｎ、Ｔ、任意のミューティングおよび／または周波数ホッピングシーケンス、ＰＲＳ  ＩＤ）および位置決定情報とともに、サービング基地局を介してロケーションサーバからＵＥに提供され得る予め定義された帯域幅を用いて展開されることができる。一般的に言えば、ＰＲＳのために割り振られた帯域幅が高いほど、位置決定がより正確になり、したがって、性能とオーバーヘッドとの間にトレードオフがある。
【００３３】
[0036]  ５Ｇ規格の場合、無線フレームは、図２に示されたＬＴＥのための構造と同様であるが、ある特定の特性（例えば、タイミング、利用可能帯域幅など）は変化し得ることが予想される。加えて、ＰＲＳを置き換えるための新しい位置測定信号の特性も、ＰＲＳの現在の特性を越えて、この新しい基準信号が正確な測定値を提供し、マルチパスに対してロバストであり、セル間の高レベルの直交性および分離性（isolation）を提供し、比較的少ないＵＥ電力を消費することを可能にするように、同様に変化し得る。
【００３４】
[0037]  図３は、複数の機会にわたる２つの無線信号ソース（例えば、基地局）についてのシンボルホッピングの一例の視覚的描写３００を示す。そのようなシンボルホッピングは、受信モバイルデバイスにおける、複数の基地局からの信号の衝突または干渉を低減することができる。図３には、経時的に発生する一連の機会３０２、３０４、３０６、３０８、３１０、３１２、および３１４が示されており、視覚的描写３００において時間は左から右に増加する。各機会３０２、３０４、３０６、３０８、３１０、３１２、および３１４に示されるブロックは、この例では各スロットが７つ（７）のシンボルを有する、その機会におけるスロットについての単一のサブキャリア周波数と見なすことができる。５Ｇでは、１２個（１２）または１４個（１４）などの、スロット当たりの他の数のシンボルが使用され得る。各機会に示されるスロットは、その機会の間に複数回繰り返され得、他のスロットが、垂直破線によって表されるように、連続した機会の間に存在し得る。各機会３０２、３０４、３０６、３０８、３１０、３１２、および３１４中の各示されたブロックの上部（水平破線の上）は、基地局１がワイヤレス位置信号を送信する強調表示されたシンボル（３１８、３２２、３２６、３３０、３３４、３３８、３４２）を示す。各機会３０２、３０４、３０６、３０８、３１０、３１２、および３１４における各示されたブロックの下部（水平破線の下）は、基地局２がワイヤレス位置信号を送信する強調表示されたシンボル（３１６、３２０、３２４、３２８、３３２、３３６、３４０）を示す。
【００３５】
[0038]  視覚的描写３００は、７つ（７）の機会３０２、３０４、３０６、３０８、３１０、３１２、および３１４を含む。任意の所与のネットワーク構成では、より多くのまたはより少ない機会が存在し得る。強調表示されたシンボルは、各機会についての基地局１および基地局２のための指定されたシンボルを表す。指定されたシンボル中に、基地局は信号を送信することができる。基地局１および基地局２は、任意の適切な無線信号ソースであり得る。基地局１および基地局２は、隣接した基地局であり得る。隣接した基地局は、どちらの基地局によって送信される信号も単一のモバイルデバイスによって受信され得るほど十分に近接している基地局であり得る。
【００３６】
[0039]  セルは、セルラネットワーク内で定義された地理的エリアであり、各セルは、１つまたは複数の固定ロケーショントランシーバ（例えば、基地局）によってサービスされる。セルは２つ以上の基地局によってサービスされ得るが、説明を簡単にするために、セルおよび基地局という用語は、本明細書では交換可能に使用され得る。セルについての各送信機会は、ある特定の時点で開始することができる。例えば、機会３０２は、アンカー時点で開始することができる。基地局のためのアンカー時点は、ネットワーク内の他の基地局と共有される共通の時間フレームに関連付けられ得る。この共通時間フレームは、例えば、システムフレームナンバ（ＳＦＮ）に基づくことができ、または別の例では、全地球測位システム（ＧＰＳ）時間に基づくことができる。基地局のためのアンカー機会はまた、さらなる機会のためのシンボル割振りのシーケンスの開始に関連付けられ得る。このようにして、共通時間フレームの知識、１つまたは複数のセルについてのアンカー時点（１つまたは複数）の知識、および１つまたは複数のセルについてのシンボル割振りのシーケンス（１つまたは複数）の知識を有するモバイルデバイスは、任意の機会に信号を測定し、測定値を適切なセルに関連付けることができる。
【００３７】
[0040]  再び図２を参照すると、前に説明したように、ＬＴＥの例におけるリソースブロックは、１つのサブフレーム２１２（すなわち、２つのスロット２１４）および１２個のサブキャリアを備える。各スロット２１４は、基地局がＲＦ信号を送信し得る６つまたは７つ（ＬＴＥネットワークでは）の期間、または「シンボル」を備える。したがって、各機会３０２、３０４、３０６、３０８、３１０、３１２、および３１４は、単一のサブキャリア（図２のＹ軸上に示す）および１つのスロット２１４（図２のＸ軸上に示す）と想定されることができる。前述のように、スロットは、所与の機会に複数回繰り返され得る。したがって、例えば、機会３０２は、７つ（７）のシンボルを有する単一のスロットを示すが、示されたスロットは、機会３０２中に、ネットワーク構成に適切な回数だけ多くまたは少なく繰り返され得る。図２は、ＬＴＥの例を説明するが、位置測定信号は、５Ｇネットワークにおいて同様の方法で機会中に送信されることが予想される。本明細書で説明されるシンボルホッピングは、指定されたシンボル中に位置測定信号を送信する任意のネットワークにおいて使用され得る。
【００３８】
[0041]  シンボルは、任意の所与の基地局が信号を送信し得る特定の時間期間として説明され得、信号は、例えば、ＵＥ（例えば、ＵＥ１０５）によって受信され得る。（ＬＴＥネットワークにおけるような）７つのシンボルの例を使用すると、各機会３０２、３０４、３０６、３０８、３１０、３１２、および３１４に７つのシンボルがある。ＬＴＥの例では、スロットは０．５ｍｓであるので、各シンボルは０．０７ｍｓ（すなわち、０．５÷７）である。スロットは、時間０で開始し、新しいシンボルが各々０．０７ｍｓで開始する順番の、連続した一連の７つ（７）のシンボルと考えられることができる。各シンボルは、スロット内に一意の位置を有する。７つのシンボルのこの例の場合、ある機会についてのシンボルは、「シンボル１」、「シンボル２」、「シンボル３」、「シンボル４」、「シンボル５」、「シンボル６」、および「シンボル７」と想定されることができ、シンボル１は、最初に送信されるシンボルであり、シンボルの各々は、その後シンボル７まで順番になっている。本明細書で使用される特定の時間値は、限定することを意図するものではなく、代わりに、例および説明のためのものである。スロットは任意の時間単位であることができ、スロットは任意の数のシンボルを含むことができる。
【００３９】
[0042]  図３に戻ると、第１の機会３０２において、基地局１は信号３１８を送信し、基地局２は信号３１６を送信する。信号３１８および信号３１６の各々は、周波数領域において同じサブキャリア周波数で送信される。さらに、信号３１８および信号３１６の各々は、時間領域においてシンボル７中に送信される。したがって、受信ＵＥ（例えば、ＵＥ１０５）は、同じサブキャリア周波数において、同時に（同じシンボル中に）信号３１６と３１８との両方を受信し得、それは、信号を個々に適切に処理することを、不可能とはしなくとも困難にする。同じサブキャリア周波数上で同時にモバイルデバイスによって受信される信号３１６および３１８は、例えば、より強い信号（例えば、信号３１８）がより弱い信号（例えば、３１６）をかき消し得るように、互いに衝突または干渉し得る。信号３１８がより強く、信号３１６をかき消す場合、モバイルデバイスは、その位置を決定するために利用するための信号３１６中の位置測定信号情報を有しないので、位置を正しく決定することができない可能性がある。
【００４０】
[0043]  測位測定信号（例えば、ＰＲＳ）は、機会３０２に示されるスロットが例えば６（６）回繰り返されるように、複数の機会にわたって繰り返し送信され得る。そのような構成では、信号３１６および信号３１８は各々、機会３０２全体にわたって他方に干渉する。さらに、以前のネットワーク構成では、およびシンボルホッピングを実装しない構成では、基地局は、各連続した機会において同じシンボルで同じサブキャリア周波数上で送信し得る。例えば、基地局１および基地局２の両方は、そのような構成では、各機会についてシンボル７において同じサブキャリア周波数上で送信する。同じシンボルにおいて同じサブキャリア周波数上で常に送信することによって、同じシンボルおよびサブキャリア周波数で送信する２つの送信基地局から送信される信号は、常に干渉または衝突し、それは、信号（例えば、信号３１６および３１８）を受信する任意のＵＥが、ソース（例えば、基地局１および基地局２）の一方または両方からの測位測定信号を正確に使用することをできなくする可能性がある。いくつかの場合には、基地局１の信号３１８は、ＵＥによって受信されるとき、基地局２の信号３１６よりも強い可能性がある。そのような場合、基地局１の信号３１８は、ＵＥによって受信されるとき、基地局２の信号３１６をかき消す可能性がある。したがって、ＵＥは、基地局２の信号３１６を処理または登録せず、したがって、ＵＥ位置を決定するために基地局２の信号３１６を使用しない可能性があり、これは、位置決定をより正確でなくするか、またはいくつかの場合には、十分な情報がないために、不可能にすることがある。
【００４１】
[0044]  視覚的描写３００は、シンボルホッピングを表す。シンボルホッピングを利用するとき、各機会について、基地局はスロット内の異なるシンボルに「ホッピング」する。各基地局は、２つの基地局が常に互いに干渉または衝突する可能性を最小限にするために、ホッピングのための異なるパターンに従い得る。したがって、機会３０２、３０４、３０６、３０８、３１０、３１２、および３１４は各々、前の機会の複製ではない。機会３０２、３０４、３０６、３０８、３１０、３１２、および３１４は、シンボルホッピングを使用して基地局１および基地局２から測位測定信号を送信するための連続する機会と想定され得る。
【００４２】
[0045]  第２の機会３０４に示されるように、基地局１は信号３２２を送信し、基地局２は信号３２０を送信する。第２の機会３０４において、信号３２０および信号３２２の各々は、周波数領域において同じサブキャリア周波数で送信される。しかしながら、第２の機会３０４において、信号３２０は、時間領域においてシンボル５中に送信され、信号３２２は、時間領域においてシンボル１中に送信される。したがって、基地局２によって送信される信号３２０および基地局１によって送信される信号３２２は、時間領域において互いに干渉せず、それにより任意の受信ＵＥが、位置決定のために信号３２２および３２０を利用することができる可能性がより高くなる。
【００４３】
[0046]  第３の機会３０６に示されるように、基地局１は信号３２６を送信し、基地局２は信号３２４を送信する。第３の機会３０６において、信号３２６および信号３２４の各々は、周波数領域において同じサブキャリア周波数で送信され、時間領域において異なるシンボル中に送信される。信号３２６はシンボル２中に送信され、信号３２４は時間領域においてシンボル３中に送信される。
【００４４】
[0047]  シンボルホッピングは、パターン式（pattern formula）を使用して容易にされる。各基地局のパターン式は、例えば、ネットワークにわたって一意であるか、または所与のエリアにおいて一意であり得る。パターン式は、例えば、開始シンボルと、各後続のシンボルについて従うべきパターンとを示すことができる。例えば、基地局１は、シンボル７で開始し、パターン式が７プラス機会の番号（７＋機会の番号）に等しくなるように、各機会において１つ（１）のシンボル進む式を使用している可能性がある。したがって、機会３０２において、基地局１はシンボル７中に信号３１８を送信し、機会３０４において、基地局１はシンボル１中に信号３２２を送信し（シンボル８がないので、パターンはシンボル１に戻る）、機会３０６において、基地局１はシンボル２中に信号３２６を送信し、機会３０８において、基地局１はシンボル３中に信号３３０を送信し、以降同様である。同様に、基地局２は、シンボル７で開始し、各機会に５つ（５）のシンボルを進む式を使用している可能性がある。したがって、機会３０２において、基地局２はシンボル７中に信号３１６を送信し、機会３０４において、基地局２はシンボル５中に信号３２０を送信し、機会３０６において、基地局２はシンボル３中に信号３２４を送信し、機会３０８において、基地局２はシンボル１中に信号３２８を送信し、以降同様である。
【００４５】
[0048]  各無線信号ソース（例えば、基地局１および基地局２）についてのパターン式は、例えば、例えば図１に関して説明したようなＬＭＦ１２０などのロケーションサーバから取得され得る。各無線信号ソースのパターン式は、例えば、どのシンボル中に送信するかを決定するために無線信号ソースが解く方程式(equation)であり得る（すなわち、方程式を解くことの結果がシンボルを識別する）。さらに、各無線信号ソースのパターン式は、例えば、無線信号ソース（例えば、基地局）の物理セル識別子（ＰＣＩ）または無線信号ソースのグローバルセル識別子（ＧＣＩ）を使用することによって、一意（または少なくともある地理的領域内で一意）であり得る。前に説明したように、パターン式は、機会の番号に依存し得る（例えば、各後続の機会は、５シンボル前方にホップする）。
【００４６】
[0049]  図３に示されるように、機会３０２における基地局１の信号３１８および基地局２の信号３１６は、シンボル７中に他方と衝突または干渉する。さらに、各機会３０４、３０６、３０８、３１０、３１２、および３１４の間、パターンが、衝突しない各基地局のホッピングシンボルをもたらすので、基地局１によって送信される信号は、基地局２によって送信される信号と衝突しない。機会３０２において、例えば、基地局１の信号３１８は、ＵＥによって受信されるときに、基地局２の信号３１６よりも強い信号であり得る。そのような場合、基地局１の信号３１８は、ＵＥが基地局２の信号３１６を明確に受信しない可能性がある程、基地局２の信号３１６をかき消し得る。しかしながら、機会３０４、３０６、３０８、３１０、３１２、および３１４において、ＵＥは、基地局がそれらの機会ごとに異なるシンボルで送信するので、基地局１からの信号が基地局２からの信号をかき消すことなく、基地局１からの各信号および基地局２からの各信号を受信することができる。
【００４７】
[0050]  図４は、スロット境界が時間領域において位置合わせされていないときの無線信号ソースについてのシンボルホッピング重複の視覚的描写４００を示す。時間領域において説明されるスロット境界は、時間的境界である。あるスロットについてのスロット境界は、特定のスロットが開始することになっている時間および特定のスロットが終了することになっている時間である。ネットワーク内の各デバイスは、各基地局における（および可能であればＵＥにおける）クロックが同期されるように、時間領域において同期され得る。ネットワーク内のデバイスは、同期されたクロックに基づいて各デバイスについて任意の所与のスロットが同時に開始するように、同期された方法で送信するようにさらに構成される。視覚的描写４００は、図３の視覚的描写３００と同様であるが、より少ない機会を含む。視覚的描写４００では、基地局１および基地局２についてのスロット境界は位置合わせされていないが、図３の視覚的描写３００では、基地局１および２についてのスロット境界は位置合わせされている。
【００４８】
[0051]  図３に関して上記で説明したように、基地局１および基地局２は、機会４０５などの各機会についての開始時間をアンカーするための共通の時間フレームを利用することができる。図４に示すように、共通の時間フレームにかかわらず、モバイルデバイスにおける基地局からのシンボルの受信は、共通の時間フレームと正確に位置合わせされない可能性がある。この位置合わせのずれは、スロット境界が受信モバイルデバイスに対して位置合わせのずれを呈する原因となる。
【００４９】
[0052]  機会４０５について図４に見られるように、基地局２についての（時間が左から右に増加するように示された）時間領域におけるスロット境界は、基地局１についてのスロット境界よりも早い。スロット境界のこの位置合わせのずれは、ＵＥにおける機会内の信号の受信に影響し得る。スロット境界は、無線信号ソースが正確に同期されていないとき、またはドリフトによって無線信号ソースが他の無線信号ソースとの位置合わせを外れたとき、位置合わせされない可能性がある。さらに、受信ＵＥの観点から、ＵＥが第２の基地局（例えば、基地局２）から信号を受信するよりも早く、ＵＥが第１の基地局（例えば、基地局１）から信号を受信し得るので、スロット境界は位置合わせされているように見えない可能性がある。信号は、ＵＥが基地局から信号を受信する速度を妨げる干渉（例えば、環境要因）またはＵＥと基地局との間の距離の差に起因して、異なる時間に受信され得る。
【００５０】
[0053]  受信ＵＥは、通常、ＵＥがプライマリ基地局のスロット境界内のスロットのシンボルをリッスンするように、プライマリ基地局と位置合わせされる。例えば、基地局１は、ＵＥのためのプライマリ基地局であり得る。基地局１のスロットの位置合わせ（スロット境界）は、ＵＥが他の基地局（例えば、基地局１に隣接する基地局）からシンボルを受信するために依拠する位置合わせ（境界）であり得る。したがって、隣接基地局（例えば、基地局２）がプライマリ基地局（例えば、基地局１）と位置合わせされておらず、その結果基地局１についてのスロット境界が基地局２についてのスロット境界と一致しない場合、基地局２からのシンボルは、ＵＥによって受信（または処理または認識）されない可能性がある。スロット境界は、特定の時間がスロット境界の開始を示すような時間的境界（すなわち、時間における境界）である。したがって、一例として、基地局２からのシンボルがスロット境界の前に到着する場合、ＵＥは、以下でより詳細に説明するように、そのようなものとしてシンボルを認識しない可能性がある。
【００５１】
[0054]  再び図４を参照すると、第１の機会４０５において、基地局１は、シンボル７において信号４１０を送信する。基地局２のスロット境界は、第１の機会４０５の間、基地局１のスロット境界と一致しない（ずれている）。基地局２についてのスロット境界は、基地局１についてのスロット境界に先行する（時間的により早い）（すなわち、基地局１についてのスロット境界は、基地局２についてのスロット境界に追従する（時間的に後に続く））。この例では、基地局１は、ＵＥが位置合わせされるプライマリ基地局であり得る。第１の機会４０５において、基地局２は、基地局２のスロット境界に従ってシンボル１中に信号４２０を送信する。ＵＥは基地局１と位置合わせされているので、基地局１についてのスロット境界に基づいて機会４０５に関連付けられたシンボルをＵＥがリッスンする前に信号４２０が受信され得るので、ＵＥは、第１の機会４０５の一部として信号４２０を受信または認識しない。時分割複信（ＴＤＤ）展開では、例えば、先行するスロットがアップリンクのために使用され、受信が実現可能でなくなる可能性がある。
【００５２】
[0055]  ここで第２の機会４２５を見ると、基地局１は、シンボル７中に信号４３０を送信する。基地局２のスロット境界は、第２の機会４２５の間に基地局１のスロット境界に先行する（時間的により早い）。第２の機会４２５において、基地局２は、基地局１のスロット境界内に含まれるシンボル７中に信号４４０を送信する。そのため、基地局１と位置合わせされたＵＥは、基地局２から信号４４０を受信することができる。
【００５３】
[0056]  機会４０５および４２５に示されているように、基地局２は、基地局２が少なくともいくつかの機会（例えば、機会４２５）中にプライマリ基地局１のスロット境界内でそれの測位測定信号を送信するようにシンボルホップするためのパターン式を使用することができる。したがって、ＵＥは、隣接した基地局のスロット境界がプライマリ基地局のスロット境界の先を行く（時間的により早い）とき、プライマリ基地局のスロット境界と位置合わせされていないスロット境界を有する隣接局についての測位測定信号を少なくとも時々受信することになる。
【００５４】
[0057]  第３の機会４４５において、基地局１のスロット境界は、基地局２のスロット境界に先行する。例えば、モバイルデバイスは、距離的に基地局１により近く移動し得、それによりＵＥにとって、基地局１についてのスロット境界が、基地局２についてのスロット境界に先行するようになる。しかしながら、視覚的描写４００は例示的なものであり、基地局についてのスロット境界の位置合わせは、位置合わせがずれている必要はなく、位置合わせを変化させる必要はなく、または如何なる位置合わせのずれに関しても経時的に一定のままである必要はない。例えば、基地局１についてのスロット境界は、あらゆる機会において基地局２についてのスロット境界に先行し得、基地局１についてのスロット境界は、あらゆる機会において基地局２についてのスロット境界に追従し得、基地局１についてのスロット境界は、あらゆる機会において基地局２についてのスロット境界に位置合わせされ得、または、基地局１および基地局２についてのスロット境界の位置合わせまたは位置合わせのずれは、いくつかのまたはすべての機会の間で変化し得る。図示されたように、機会４４５において、基地局１は、基地局１のスロット境界に従ってシンボル７中に信号４５０を送信する。基地局２は、シンボル１中に信号４６０を送信し、それは、機会４４５についての基地局１のスロット境界内に含まれる。そのため、基地局１と位置合わせされたＵＥは、機会４４５中に基地局２からの信号４６０を受信することができる。
【００５５】
[0058]  ここで第４の機会４６５を見ると、基地局１は、シンボル７中に信号４７０を送信する。基地局２のスロット境界は、第４の機会４６５中、基地局１のスロット境界に追従する（時間的に後にある）。第４の機会４６５において、基地局２は、基地局２のスロット境界に従ってシンボル７中に信号４８０を送信する。ＵＥは基地局１と位置合わせされているので、ＵＥは、基地局１のスロット境界の外側では機会４６５の信号をリッスンしないことになるので、ＵＥは、第４の機会４６５の一部として信号４８０を受信しない可能性がある。信号４８０は、機会４６５についての基地局１のスロット境界の外側（後）で送信されるので、ＵＥは、信号４８０を受信（または処理もしくは認識）しない可能性がある。
【００５６】
[0059]  機会４４５および４６５に示されているように、基地局２は、基地局２が少なくともいくつかの機会（例えば、機会４４５）中にプライマリ基地局１のスロット境界内でそれの測位測定信号を送信するようにシンボルホップするためのパターン式を使用することができる。したがって、ＵＥは、隣接した基地局のスロット境界がプライマリ基地局のスロット境界に追従している（時間的に後にある）とき、プライマリ基地局のスロット境界と位置合わせされていないスロット境界を有する隣接局について測位測定信号を少なくとも時々受信することになる。したがって、本明細書で説明されるシンボルホッピングは、（隣接基地局のスロット境界が先を行くかまたは遅れをとるために）プライマリ基地局のスロット境界と位置合わせされないスロット境界を有する隣接基地局によって送信された信号を、ＵＥが受信することを可能にすることができる。
【００５７】
[0060]  図５は、シンボルホッピングを使用してソース無線信号を提供するための方法５００の流れ図を示す。方法５００は、例えば、図１に関して説明したようなｇＮＢ１１０またはｎｇ−ｅＮＢ１１４のいずれかなどの、ネットワーク中の基地局によって実行され得る。
【００５８】
[0061]  方法５００は、ブロック５０５において、例えば、基地局が、複数の機会のうちの所与の機会について、所与の機会に関連付けられた一連の連続したシンボルを有するリソースブロックから選択された指定されたシンボルを識別するパターン式を取得することから開始することができ、ここにおいて、リソースブロックの各シンボルは、所与の機会の各スロット内の一意の位置を有する。前に説明したように、リソースブロックは、複数のシンボルを含むことができ、それらの各々は、時間の持続時間であり、それらの各々は、連続的であり、所与のスロット内で順序付けられる。例えば、０．５ｍｓスロットおよび７つのシンボルを有するリソースブロックは、０．５ｍｓスロットの開始点で始まり、０．０７ｍｓの間続くシンボル１を有する。シンボル１が終了した直後に、シンボル２が始まり、０．０７ｍｓの間続く。シンボル２が終了した直後に、シンボル３が始まり、０．０７ｍｓの間続く。シンボルは、前のシンボルの直後に次のシンボルに続くように、すべての７つのシンボルが完了するまで続く。これまた説明したように、基地局（または任意の無線信号ソース）は、信号を送信するためのシンボルおよびサブキャリア周波数を割り当てられ得る。割り当てられるシンボルは、パターン式から決定され得る。パターン式は、例えば、ネットワーク（例えば、５Ｇネットワーク）についてのロケーションサーバまたは他のコントローラもしくはコンピューティングデバイスから受信され得る。パターン式は、基地局が、どのシンボル中に送信するかを識別することができる。例えば、パターン式は、パターン式に従うことにより、任意の所与の機会に関して、その機会の各スロットについて送信を行うべきシンボルの識別がもたらされるように、第１の機会の各スロットの間に送信を行うべきシンボルと、各後続の機会について従うべきパターンとを識別することができる（例えば、基地局は、式パターンに基づいて、その機会の各スロットの間にシンボル２において送信し、次の機会の各スロットの間にシンボル４において送信する）。一例として、図３に関して説明したように、基地局１は、第１の機会についてシンボル７で始まり、各後続の機会において１つ（１）のシンボル進むパターン式を有することができる。機会における第１のシンボルは、共通の時間フレーム内のインスタンスに関連付けられ得る。共通の時間フレームは、各デバイスが位置合わせされるように、セル中のすべてのデバイス（例えば、基地局、ユーザデバイスなど）によって使用され得る。共通の時間フレームは、例えば、ネットワークのシステムフレームナンバ（ＳＦＮ）と位置合わせされることができる。いくつかの実施形態では、共通の時間フレームは、ＧＰＳ時間などの異なる共通の時間スケールに基づくことができる。
【００５９】
[0062]  ブロック５０５において機能を実行するための手段は、図９に示され、以下でより詳細に説明されるバス９０５、処理ユニット（１つまたは複数）９１０、ワーキングメモリ９３５、オペレーティングシステム９４０、アプリケーション（１つまたは複数）９４５、および／またはコンピュータシステム９００の他の構成要素などの、コンピュータシステムの１つまたは複数の構成要素を備え得る。
【００６０】
[0063]  ブロック５１０において、基地局は、複数の機会のうちの第１の機会について、パターン式を使用して、第１の順序付けられた位置を有する第１の機会についての指定されたシンボルを決定することができる。例えば、パターン式は、基地局についてのＰＣＩまたはＧＣＩを使用して、第１の機会の各スロットについてのシンボルを識別することができる。別の例として、パターン式は、機会の各スロットについて指定されたシンボルを識別するために、各機会について解かれるべき方程式を提供することができる。一実施形態では、方程式は、機会の番号を含むことができる。視覚的描写として、図３に関して説明したように、シンボル７は、機会３０２における基地局１のための指定されたシンボルであり得る。図３に示す例についての第１の順序付けられた位置はシンボル７である。
【００６１】
[0064]  ブロック５１０において機能を実行するための手段は、図９に示され、以下でより詳細に説明されるバス９０５、処理ユニット（１つまたは複数）９１０、ワーキングメモリ９３５、オペレーティングシステム９４０、アプリケーション（１つまたは複数）９４５、および／またはコンピュータシステム９００の他の構成要素などの、コンピュータシステムの１つまたは複数の構成要素を備え得る。
【００６２】
[0065]  ブロック５１５において、基地局は、第１の機会についての指定されたシンボル中に、第１のワイヤレス位置測定信号の少なくとも一部分をモバイルデバイスに送信することができる。別の言い方をすれば、基地局が所与の機会について指定されたシンボルをひとたび決定すると、機会の各スロットの間に、基地局は指定されたシンボル中に信号を送信することができる。例えば、視覚的描写として、基地局１は、図３に関して説明されたように、機会３０２の各スロットにおいてシンボル７中に信号３１８を送信することができる。信号は、測位測定信号または測位測定信号の一部であり得る。基地局は、位置測定信号を送信するための所与の機会がいつ始まるかを、ネットワークのロケーションサーバもしくは他のコントローラとの同期に基づいて、またはＧＰＳ同期に基づいて知ることができる。そのようなロケーションサーバは、ネットワーク内のロケーションサービスおよびネットワークに関する情報を、地理的領域内の基地局および／または地理的領域内のユーザ機器に提供することができる。さらに、前述のように、基地局は、受信範囲内の任意のＵＥのための位置測定信号を送信し得る。別の言い方をすれば、基地局は、所与の機会の間に送信された信号をリッスンしている任意のおよび／またはすべてのＵＥに位置測定信号をブロードキャストすることができる。位置測定信号は、リソースブロックによって定義される２つ以上のシンボルを介して送信され得るので、ワイヤレス位置測定信号の一部分のみが、そのシンボル中に基地局によって送信され得る。
【００６３】
[0066]  ブロック５１５において機能を実行するための手段は、図９に示され、以下でより詳細に説明されるバス９０５、処理ユニット（１つまたは複数）９１０、ワーキングメモリ９３５、オペレーティングシステム９４０、アプリケーション（１つまたは複数）９４５、および／またはコンピュータシステム９００の他の構成要素などの、コンピュータシステムの１つまたは複数の構成要素を備え得る。
【００６４】
[0067]  ブロック５２０において、基地局は、複数の機会のうちの第２の機会について、パターン式を使用して、第１の順序付けられた位置とは異なる第２の順序付けられた位置を有する第２の機会についての指定されたシンボルを決定することができる。基地局は、ブロック５１０で説明されたように、パターン式が、第１の機会についての指定されたシンボルとは異なる第２の機会についての指定されたシンボルを識別するように、各後続の機会について同じパターン式を使用することができる。視覚的描写として、シンボル１は、図３に関して説明されたように、機会３０４における基地局１のための指定されたシンボルであり得る。第２の機会（例えば、機会３０４）のための指定されたシンボル（例えば、シンボル１）は、（例えば、シンボル７で開始し、各後続の機会について１シンボル進む）パターン式を使用する基地局（例えば、基地局１）のための第１の機会（例えば、機会３０２）についての指定されたシンボル（例えば、シンボル７）とは異なる。別の言い方をすれば、例えば、図３に示された例についての第２の順序付けられた位置はシンボル１であり、これはシンボル７の第１の順序付けられた位置とは異なる。
【００６５】
[0068]  ブロック５２０において機能を実行するための手段は、図９に示され、以下でより詳細に説明されるバス９０５、処理ユニット（１つまたは複数）９１０、ワーキングメモリ９３５、オペレーティングシステム９４０、アプリケーション（１つまたは複数）９４５、および／またはコンピュータシステム９００の他の構成要素などの、コンピュータシステムの１つまたは複数の構成要素を備え得る。
【００６６】
[0069]  ブロック５２５において、基地局は、第２の機会についての指定されたシンボル中に、第２のワイヤレス位置測定信号の少なくとも一部分をモバイルデバイスに送信することができる。例えば、視覚的描写として、基地局１は、図３に関して説明されたように、機会３０４においてシンボル１中に信号３２２を送信することができる。第２の機会についての信号は、ブロック５１５に関して説明されたような第１の機会のための信号と同様に送信されることができる。前に説明したように、各機会は複数のスロットを含むことができ、基地局は各々、機会中の各スロットのその指定されたシンボル中に信号を送信することができる。
【００６７】
[0070]  ブロック５２５において機能を実行するための手段は、図９に示され、以下でより詳細に説明されるバス９０５、処理ユニット（１つまたは複数）９１０、ワーキングメモリ９３５、オペレーティングシステム９４０、アプリケーション（１つまたは複数）９４５、および／またはコンピュータシステム９００の他の構成要素などの、コンピュータシステムの１つまたは複数の構成要素を備え得る。
【００６８】
[0071]  図６は、シンボルホッピングを使用してソース無線信号を提供するための方法６００の別の流れ図を示す。方法６００は、例えば、図１に関して説明したようなｇＮＢ１１０またはｎｇ−ｅＮＢ１１４のいずれかなどの、ネットワーク中の基地局によって実行され得る。方法６００は、例えば、プライマリ基地局の隣接基地局によって実行されることができ、ここでプライマリ基地局は方法５００を実行している。
【００６９】
[0072]  方法６００は、ブロック６０５において、例えば、隣接基地局が、所与の機会について、所与の機会に関連付けられたリソースブロックから選択された第２の指定されたシンボルを識別する第２のパターン式を取得することで開始することができ、ここにおいて、第２のパターン式は、第１のパターン式とは異なる。図５のブロック５０５に関して説明されたように、リソースブロックは、複数のシンボルを備えることができ、それらの各々は、順序付けられ、時間領域における位置を定義する。各基地局は、信号を送信するためのシンボルおよびサブキャリア周波数を割り当てられ得る。割り当てられるシンボルは、第２のパターン式から決定され得る。第２のパターン式は、（例えば、異なるシンボルで開始することによって、異なる方程式もしくはパターンを有することによって、またはその両方によって）プライマリ基地局のためのパターン式とは異なり得る。パターン式は、例えば、ネットワーク（例えば、５Ｇネットワーク）についてのロケーションサーバまたは他のコントローラもしくはコンピューティングデバイスから受信され得る。パターン式は、隣接基地局に対して、機会の各スロットについてどのシンボル中に送信するかを識別することができる。例えば、パターン式は、パターン式に従うことにより、任意の所与の機会について、送信を行うべきシンボルの識別がもたらされるように、第１の機会の各スロットの間に送信を行うべきシンボルと、各後続の機会について従うべきパターンとを識別することができる。一例として、図３に関して説明したように、基地局２は、第１の機会についてはシンボル７で始まり、各後続の機会においては５つ（５）のシンボル進むパターン式を有し得る。
【００７０】
[0073]  ブロック６０５において機能を実行するための手段は、図９に示され、以下でより詳細に説明されるバス９０５、処理ユニット（１つまたは複数）９１０、ワーキングメモリ９３５、オペレーティングシステム９４０、アプリケーション（１つまたは複数）９４５、および／またはコンピュータシステム９００の他の構成要素などの、コンピュータシステムの１つまたは複数の構成要素を備え得る。
【００７１】
[0074]  ブロック６１０において、隣接基地局は、第１の機会について、第２のパターン式を使用して、第１の順序付けられた位置を有する第１の機会についての第２の指定されたシンボルを決定することができる。隣接基地局についてのパターン式は、プライマリ基地局についてのパターン式と同様であり得る。例えば、パターン式は、第１の機会の各スロットの間に送信を行うべき指定されたシンボルと、各後続の機会において送信を行うべき指定されたシンボルを識別するためのパターンとを識別することができる。視覚的描写として、シンボル７は、図３に関して説明されたように、機会３０２における基地局２のための指定されたシンボルであり得る。前に開示されたように、図３に示された例についての第１の順序付けられた位置はシンボル７である。
【００７２】
[0075]  ブロック６１０において機能を実行するための手段は、図９に示され、以下でより詳細に説明されるバス９０５、処理ユニット（１つまたは複数）９１０、ワーキングメモリ９３５、オペレーティングシステム９４０、アプリケーション（１つまたは複数）９４５、および／またはコンピュータシステム９００の他の構成要素などの、コンピュータシステムの１つまたは複数の構成要素を備え得る。
【００７３】
[0076]  ブロック６１５において、隣接基地局は、第１の機会についての第２の指定されたシンボル中に、第３のワイヤレス位置測定信号の少なくとも一部分をモバイルデバイスに送信することができる。別の言い方をすれば、隣接基地局が所与の機会について指定されたシンボルをひとたび決定すると、その機会の間に、隣接基地局は、指定されたシンボル中に信号を送信することができる。例えば、視覚的描写として、基地局２は、図３に関して説明されたように、機会３０２においてシンボル７中に信号３１６を送信することができる。信号は、測位測定信号または測位測定信号の一部であり得る。隣接基地局は、位置測定信号を送信するための所与の機会がいつ始まるかを、ネットワークのロケーションサーバもしくは他のコントローラとの同期に基づいて、またはＧＰＳ同期に基づいて知ることができる。そのようなロケーションサーバは、ネットワーク内のロケーションサービスおよびネットワークに関する情報を、地理的領域内の基地局および／または地理的領域内のユーザ機器に提供することができる。さらに、前述したように、隣接基地局を含む基地局は、受信範囲内の任意のＵＥのための位置測定信号を送信し得る。別の言い方をすれば、隣接基地局は、所与の機会の間に送信された信号をリッスンしている任意のおよび／またはすべてのＵＥに位置測定信号をブロードキャストすることができる。
【００７４】
[0077]  ブロック６１５において機能を実行するための手段は、図９に示され、以下でより詳細に説明されるバス９０５、処理ユニット（１つまたは複数）９１０、ワーキングメモリ９３５、オペレーティングシステム９４０、アプリケーション（１つまたは複数）９４５、および／またはコンピュータシステム９００の他の構成要素などの、コンピュータシステムの１つまたは複数の構成要素を備え得る。
【００７５】
[0078]  ブロック６２０において、隣接基地局は、第２の機会について、第２のパターン式を使用して、第２の順序付けられた位置とは異なる第３の順序付けられた位置を有する第２の機会についての第２の指定されたシンボルを決定することができる。隣接基地局は、パターン式が、ブロック６１０において説明されたような第１の機会についての第２の指定されたシンボルとは異なり、および第２の機会におけるプライマリ基地局のための指定されたシンボルとは異なる、第２の機会についての第２の指定されたシンボルを識別するように、各後続の機会について同じ（例えば、第２のパターン式）パターン式を使用することができる。視覚的描写として、シンボル５は、図３に関して説明されたように、機会３０４における基地局２のための指定されたシンボルであり得る。第２の機会（例えば、機会３０４）についての第２の指定されたシンボル（例えば、シンボル５）は、第２の機会（例えば、機会３０４）におけるプライマリ基地局（例えば、基地局１）のための指定されたシンボル（例えば、シンボル１）とは異なり、および（例えば、シンボル７で始まり、各後続の機会について５シンボル進む）第２のパターン式を使用する第１の機会（例えば、機会３０２）における隣接した基地局（例えば、基地局２）についての第２の指定されたシンボル（例えば、シンボル７）とは異なる。別の言い方をすれば、例えば、図３に示される例についての第３の順序付けられた位置はシンボル５であり、これはシンボル７の第１の順序付けられた位置およびシンボル１の第２の順序付けられた位置とは異なる。
【００７６】
[0079]  ブロック６２０において機能を実行するための手段は、図９に示され、以下でより詳細に説明されるバス９０５、処理ユニット（１つまたは複数）９１０、ワーキングメモリ９３５、オペレーティングシステム９４０、アプリケーション（１つまたは複数）９４５、および／またはコンピュータシステム９００の他の構成要素などの、コンピュータシステムの１つまたは複数の構成要素を備え得る。
【００７７】
[0080]  ブロック６２５において、隣接した基地局は、第２の機会についての第２の指定されたシンボル中に、第４のワイヤレス位置測定信号の少なくとも一部分をモバイルデバイスに送信することができる。例えば、視覚的描写として、基地局２は、図３に関して説明されたように、機会３０４の各スロットのシンボル５中に信号３２０を送信することができる。第２の機会についての信号は、ブロック６１５に関して説明されたような第１の機会についての信号と同様に送信され得る。
【００７８】
[0081]  ブロック６２５において機能を実行するための手段は、図９に示され、以下でより詳細に説明されるバス９０５、処理ユニット（１つまたは複数）９１０、ワーキングメモリ９３５、オペレーティングシステム９４０、アプリケーション（１つまたは複数）９４５、および／またはコンピュータシステム９００の他の構成要素などの、コンピュータシステムの１つまたは複数の構成要素を備え得る。
【００７９】
[0082]  図７は、シンボルホッピングを使用してソース無線信号を処理するための方法７００の流れ図を示す。方法７００は、例えば、図１に関して説明したようなＵＥ１０５などのユーザ機器によって実行され得る。方法７００は、例えば、プライマリ基地局の隣接基地局とともに、例えば、ＵＥによって実行され得、ここで、プライマリ基地局は方法５００を実行しており、隣接基地局は方法６００を実行している。本明細書で説明されるシンボルホッピングおよび方法７００は、上記で説明したように、任意の所与の基地局からの送信のためのパターンが他の基地局からの送信のためのパターンとは異なるので、基地局によって送信される信号が他の基地局からの信号と常に干渉しないように基地局によって送信される信号がシンボルを「ホッピング」するので、無線信号ソースからのワイヤレス位置測定信号の強化された検出を提供することができる。この差のために、ＵＥは、少なくともいくつかの機会の間に他の基地局からの信号によってかき消されないまたは干渉されない各基地局からの信号を受信することができる。
【００８０】
[0083]  方法７００は、ブロック７０５において、例えば、ＵＥがワイヤレス通信ネットワークにおける基地局についての情報を取得することで開始することができ、情報は、複数の機会のうちの所与の機会について、基地局のための指定されたシンボルを識別するパターン式を備え、ここにおいて、指定されたシンボルは、所与の機会に関連付けられた一連の連続したシンボルを有するリソースブロックから選択され、ここにおいて、リソースブロックの各シンボルは、所与の機会の各スロット内の一意の順序付けられた位置を有する。その位置を決定する必要があり得るＵＥは、プライマリ基地局および隣接した基地局を含む基地局から測位測定信号を受信することができる。ＵＥは、所与の基地局が測位測定信号を送信するときを決定するためのパターン式を取得することができる。例えば、ＵＥは、図３に関して説明されたような基地局１のためのパターン式を取得することができる。ＵＥは、例えば、ネットワーク（例えば、５Ｇネットワーク）のためのロケーションサーバまたは他のコントローラもしくはコンピューティングデバイスからパターン式を取得することができる。ＵＥは、ＵＥが測位測定信号をリッスンすべきときをＵＥが決定することができるように、基地局のためのパターン式を取得することができる。例として、ＵＥは、プライマリ基地局についてのパターン式と、隣接した基地局の各々についての異なるパターン式とを得ることができる。図３に関して説明されたように、プライマリ基地局（基地局１）は、第１の機会にシンボル７で始まり、各後続の機会について１シンボル進むパターン式を有することができる。さらに、隣接した基地局（基地局２）は、第１の機会にシンボル７で始まり、各後続の機会について５シンボル進むパターン式を有することができる。ＵＥは、ＵＥがそこからの測位測定信号をリッスンすることを望む各基地局についてのパターン式を取得することができる。前に説明したように、パターン式は、所与の機会についての指定されたシンボルを識別するために使用されることができ、各指定されたシンボルは、所与の機会の各スロット内の一意の順序付けられた位置である。
【００８１】
[0084]  ブロック７０５における機能を実行するための手段は、例えば、図８に示され、以下でより詳細に説明されるバス８０５、処理ユニット（１つまたは複数）８１０、ワイヤレス通信インタフェース８３０、メモリ８６０、および／または、ＵＥ１０５の他のハードウェアおよび／またはソフトウェア構成要素を備え得る。
【００８２】
[0085]  ブロック７１０において、ＵＥは、複数の機会のうちの第１の機会についてのパターン式に基づいて、第１の基地局が第１のワイヤレス位置測定信号の少なくとも一部分を送信する、基地局のための指定されたシンボルを決定することができる。一例として、図３に関して説明されたような基地局１についてのパターン式は、シンボル７を第１の機会についての指定されたシンボルとして識別し、各後続の機会について１シンボルを進むものである。したがって、ＵＥは、第１の機会に、基地局１のための指定されたシンボルがシンボル７であると決定することができる。基地局のための指定されたシンボルを決定することは、ＵＥが、指定されたシンボルにおいて基地局からの信号をリッスンすることを可能にし得る。したがって、ＵＥが基地局から指定されたシンボルで信号を受信するとき、ＵＥは、例えば、基地局１からの測位測定信号として信号を処理するのに十分な情報を有する。
【００８３】
[0086]  ブロック７１０における機能を実行するための手段は、例えば、図８に示され、以下でより詳細に説明されるバス８０５、処理ユニット（１つまたは複数）８１０、ワイヤレス通信インタフェース８３０、メモリ８６０、および／または、ＵＥ１０５の他のハードウェアおよび／またはソフトウェア構成要素を備え得る。
【００８４】
[0087]  ブロック７１５において、ＵＥは、基地局のための指定されたシンボルに基づいて、第１のワイヤレス位置測定信号の少なくとも一部分の測定値を取得し得る。視覚的描写として、ＵＥは、基地局１のためのパターン式に基づいて、シンボル７中に送信された基地局１からの信号３１８の測定値を取得することができる。ＵＥは、例えば、例えば図８に関して説明されるようなアンテナ８３２を含むワイヤレス通信インタフェース８３０を使用して、信号（例えば、信号３１８）を受信することによって、測定値を取得することができる。基地局１からのおよび他の基地局からの他の信号とともに、ＵＥは、例えば、前に説明したＯＴＤＯＡを使用してその位置を決定することができる。
【００８５】
[0088]  ブロック７１５における機能を実行するための手段は、例えば、図８に示され、以下でより詳細に説明されるバス８０５、処理ユニット（１つまたは複数）８１０、ワイヤレス通信インタフェース８３０、メモリ８６０、および／または、ＵＥ１０５の他のハードウェアおよび／またはソフトウェア構成要素を備え得る。
【００８６】
[0089]  図８は、（例えば、図１〜図７に関連して）本明細書において上で説明したように利用され得るＵＥ１０５の実施形態を示す。例えば、ＵＥ１０５は、図７の方法７００の機能のうちの１つまたは複数を実行することができる。図８は、単に様々な構成要素の一般化された図を提供することを意図しており、それらの構成要素のいずれかまたはすべてが適宜利用され得ることに留意されたい。いくつかの事例では、図８によって示される構成要素は、単一の物理的デバイスに局所化され得、および／または様々なネットワーク化されたデバイス間で分散され得、それらは、異なる物理的ロケーションに配置され得る（例えば、ユーザの身体の異なる部分に配置され、その場合、構成要素は、パーソナルエリアネットワーク（ＰＡＮ）および／または他の手段を介して通信可能に接続され得る）ことに留意されたい。
【００８７】
[0090]  ＵＥ１０５は、バス８０５を介して電気的に結合され得る（または必要に応じて他の方法で通信し得る）ハードウェア要素を備えるように示されている。ハードウェア要素は、限定はしないが、１つまたは複数の汎用プロセッサ、１つまたは複数の専用プロセッサ（例えば、デジタルシグナルプロセシング（ＤＳＰ）チップ、グラフィックスアクセラレーションプロセッサ、特定用途向け集積回路（ＡＳＩＣ）、および／または同様のもの）、および／または他の処理構造または手段を含み得る処理ユニット（１つまたは複数）８１０を含み得る。図８に示されるように、いくつかの実施形態は、所望の機能に応じて、別個のデジタルシグナルプロセッサ（ＤＳＰ）８２０を有し得る。ワイヤレス通信に基づくロケーション決定および／または他の決定は、処理ユニット（１つまたは複数）８１０および／またはワイヤレス通信インタフェース８３０（以下で説明される）において提供され得る。ＵＥ１０５はまた、限定はしないが、キーボード、タッチスクリーン、タッチパッド、マイクロフォン、ボタン（１つまたは複数）、ダイヤル（１つまたは複数）、スイッチ（１つまたは複数）、および／または同様のものを含み得る１つまたは複数の入力デバイス８７０と、限定はしないが、ディスプレイ、発光ダイオード（ＬＥＤ）、スピーカ、および／または同様のものを含み得る１つまたは複数の出力デバイス８１５とを含み得る。
【００８８】
[0091]  ＵＥ１０５はまた、限定はしないが、モデム、ネットワークカード、赤外線通信デバイス、ワイヤレス通信デバイス、チップセット（例えば、Ｂｌｕｅｔｏｏｔｈ（登録商標）デバイス、ＩＥＥＥ８０２．１１デバイス、ＩＥＥＥ８０２．１５．４デバイス、ＷｉＦｉデバイス、ＷｉＭａｘデバイス、セルラ通信設備など）、および／または同様のものを備え得るワイヤレス通信インタフェース８３０を含み得る。ワイヤレス通信インタフェース８３０は、ＵＥ１０５が、図１に関して上記で説明したネットワークを介して通信することを可能にし得る。ワイヤレス通信インタフェース８３０は、データおよびシグナリングが、ネットワーク、ｅＮＢ、ｇＮＢ、ｎｇ−ｅＮＢ、他のネットワーク構成要素、コンピュータシステム、および／または本明細書で説明される任意の他の電子デバイスと通信（例えば、送信および受信）されることを可能にし得る。通信は、ワイヤレス信号８３４を送るおよび／または受信する１つまたは複数のワイヤレス通信アンテナ８３２を介して実行され得る。
【００８９】
[0092]  所望の機能に応じて、ワイヤレス通信インタフェース８３０は、基地局（例えば、ｎｇ−ｅＮＢおよびｇＮＢ）および他の地上トランシーバ、例えば、ワイヤレスデバイスおよびアクセスポイントと通信するための別個のトランシーバを備え得る。ＵＥ１０５は、様々なネットワークタイプを備え得る異なるデータネットワークと通信し得る。例えば、ワイヤレスワイドエリアネットワーク（ＷＷＡＮ）は、符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングルキャリア周波数分割多元接続（ＳＣ−ＦＤＭＡ）ネットワーク、ＷｉＭａｘ（ＩＥＥＥ８０２．１６）ネットワーク、および／またはその他のものであり得る。ＣＤＭＡネットワークは、例えば、ＣＤＭＡ２０００、広帯域ＣＤＭＡ（ＷＣＤＭＡ）などの１つまたは複数の無線アクセス技術（ＲＡＴ）を実装し得る。ＣＤＭＡ２０００は、ＩＳ−９５、ＩＳ−２０００、および／またはＩＳ−８５６規格を含む。ＴＤＭＡネットワークは、ＧＳＭ、デジタルアドバンストモバイルフォンシステム（Ｄ−ＡＭＰＳ）、または何らかの他のＲＡＴを実装し得る。ＯＦＤＭＡネットワークは、ＬＴＥ、ＬＴＥアドバンスト、５Ｇ  ＮＲなどを採用し得る。５Ｇ  ＮＲ、ＬＴＥ、ＬＴＥアドバンスト、ＧＳＭ、およびＷＣＤＭＡは、第３世代パートナーシッププロジェクト（３ＧＰＰ）からの文書に記載されている。ＣＤＭＡ２０００は、「第３世代パートナーシッププロジェクト２」（３ＧＰＰ２）という名称のコンソーシアムからの文書に記載されている。３ＧＰＰおよび３ＧＰＰ２文書は公に入手可能である。ワイヤレスローカルエリアネットワーク（ＷＬＡＮ）はまた、ＩＥＥＥ８０２．１１ｘネットワークであり得、ワイヤレスパーソナルエリアネットワーク（ＷＰＡＮ）は、Ｂｌｕｅｔｏｏｔｈネットワーク、ＩＥＥＥ８０２．１５ｘ、または何らかの他のタイプのネットワークであり得る。本明細書で説明される技法はまた、ＷＷＡＮ、ＷＬＡＮ、および／またはＷＰＡＮの任意の組合せのために使用され得る。
【００９０】
[0093]  ＵＥ１０５は、センサ（１つまたは複数）８４０をさらに含み得る。センサ８４０は、限定はしないが、１つまたは複数の慣性センサおよび／または他のセンサ（例えば、加速度計（１つまたは複数）、ジャイロスコープ（１つまたは複数）、カメラ（１つまたは複数）、磁力計（１つまたは複数）、高度計（１つまたは複数）、マイクロフォン（１つまたは複数）、近接センサ（１つまたは複数）、光センサ（１つまたは複数）、気圧計（１つまたは複数）、および／または同様のもの）を備え得、それらのうちのいくつかは、本明細書で説明される位置決定を補完するおよび／または容易にするために使用され得る。
【００９１】
[0094]  ＵＥ１０５の実施形態はまた、（アンテナ８３２と同じであり得る）アンテナ８８２を使用して１つまたは複数のＧＮＳＳ衛星（例えば、ＳＶ１９０）から信号８８４を受信することが可能なＧＮＳＳ受信機８８０を含み得る。ＧＮＳＳ信号測定に基づく測位は、本明細書で説明される技法を補完するおよび／または組み込むために利用され得る。ＧＮＳＳ受信機８８０は、例えば、全地球測位システム（ＧＰＳ）、Ｇａｌｉｌｅｏ、Ｇｌｏｎａｓｓ、日本にわたるＱＺＳＳ（Quasi-Zenith Satellite System）、インドにわたるＩＲＮＳＳ（Indian Regional Navigational Satellite System）、中国にわたるＢｅｉｄｏｕ、および／または同様のもののようなＧＮＳＳシステムのＧＮＳＳ  ＳＶから従来の技法を使用してＵＥ１０５の位置を抽出することができる。さらに、ＧＮＳＳ受信機８８０は、例えば、ワイドエリア増強システム（ＷＡＡＳ）、ＥＧＮＯＳ（European Geostationary Navigation Overlay Service）、ＭＳＡＳ（Multi -functional Satellite Augmentation System）、ＧＡＧＡＮ（Geo Augmented Navigation system）、および／または同様のものなどの、１つまたは複数のグローバルおよび／または地域ナビゲーション衛星システムと関連付けられ得るか、またはそうでなければそれらとともに使用することが可能にされ得る様々な増強システム（例えば、ＳＢＡＳ（Satellite Based Augmentation System））とともに使用され得る。
【００９２】
[0095]  ＵＥ１０５は、メモリ８６０をさらに含み得る、および／またはそれと通信し得る。メモリ８６０は、限定はしないが、ローカルおよび／またはネットワークアクセス可能ストレージ、ディスクドライブ、ドライブアレイ、光ストレージデバイス、ソリッドステートストレージデバイス、例えば、ランダムアクセスメモリ（ＲＡＭ）および／または読み取り専用メモリ（ＲＯＭ）を含むことができ、それらのいずれもプログラム可能、フラッシュ更新可能、および／または同様のものであり得る。そのような記憶デバイスは、限定はしないが、様々なファイルシステム、データベース構造、および／または同様のものを含む、任意の適切なデータストアを実装するように構成され得る。
【００９３】
[0096]  ＵＥ１０５のメモリ８６０はまた、オペレーティングシステム、デバイスドライバ、実行可能ライブラリ、および／または他のコード、例えば、１つまたは複数のアプリケーションプログラムを含むソフトウェア要素（図８に図示せず）を備えることができ、それらは、本明細書で説明されるような、様々な実施形態によって提供されるコンピュータプログラムを備え得る、および／または他の実施形態によって提供される方法を実装する、および／またはシステムを構成するように設計され得る。単に例として、上記で説明した方法（１つまたは複数）に関して説明された１つまたは複数のプロシージャは、ＵＥ１０５（および／またはＵＥ１０５内の処理ユニット（１つまたは複数）８１０もしくはＤＳＰ８２０）によって実行可能なメモリ８６０中のコードおよび／または命令として実装され得る。そして一態様では、そのようなコードおよび／または命令は、説明された方法に従って１つまたは複数の動作を実行するように汎用コンピュータ（または他のデバイス）を構成するおよび／または適応させるために使用され得る。
【００９４】
[0097]  図９は、ＮＧ−ＲＡＮ１３５および５ＧＣ１４０などの５Ｇネットワークの様々な構成要素、および／または他のネットワークタイプの同様の構成要素を含む、通信システム（例えば、図１の通信システム１００）の１つまたは複数の構成要素に組み込まれ得るおよび／または利用され得る、コンピュータシステム９００の実施形態を示す。図９は、図５および図６に関連して説明された方法などの様々な他の実施形態によって提供される方法を実行することができるコンピュータシステム９００の一実施形態の概略図を提供する。図９は、単に様々な構成要素の一般化された図を提供することを意図しており、それらの構成要素のいずれかまたはすべてが適宜利用され得ることに留意されたい。したがって、図９は、個々のシステム要素がどのように相対的に分離された、または相対的により統合された方法で実装され得るかを大まかに示す。さらに、図９によって示される構成要素は、単一のデバイスに局所化され、および／または様々なネットワーク化されたデバイスの間で分散され得、それらは、異なる物理的または地理的ロケーションに配置され得ることに留意されたい。いくつかの実施形態では、コンピュータシステム９００は、ＬＭＦ（例えば、図１のＬＭＦ１２０）、ｇＮＢ（例えば、図１のｇＮＢ１１０）、ｎｇ−ｅＮＢ（例えば、図１のｎｇ−ｅＮＢ１１４）、ｅＮＢ、Ｅ−ＳＭＬＣ、ＳＵＰＬ  ＳＬＰ、および／または何らかの他のタイプのロケーション対応デバイスに対応し得る。
【００９５】
[0098]  コンピュータシステム９００は、バス９０５を介して電気的に結合され得る（または必要に応じて他の方法で通信し得る）ハードウェア要素を備えるものとして示されている。ハードウェア要素は、処理ユニット（１つまたは複数）９１０を含み得、それは、限定はしないが、１つまたは複数の汎用プロセッサ、１つまたは複数の専用プロセッサ（例えば、デジタルシグナルプロセシングチップ、グラフィックスアクセラレーションプロセッサ、および／または同様のもの）、および／または他の処理構造を含み得、それらは、図５または図６に関して説明された方法を含む、本明細書で説明された方法のうちの１つまたは複数を実行するように構成され得る。コンピュータシステム９００はまた、限定はしないが、マウス、キーボード、カメラ、マイクロフォン、および／または同様のものを含み得る１つまたは複数の入力デバイス９１５と、限定はしないが、ディスプレイデバイス、プリンタ、および／または同様のものを含み得る１つまたは複数の出力デバイス９２０とを含むことができる。
【００９６】
[0099]  コンピュータシステム９００は、１つまたは複数の非一時的ストレージデバイス９２５をさらに含み得（および／またはそれと通信し得）、それらは、限定はしないが、ローカルおよび／またはネットワークアクセス可能ストレージを備えることができ、および／または、限定はしないが、ディスクドライブ、ドライブアレイ、光ストレージデバイス、ソリッドステートストレージデバイス（例えば、ランダムアクセスメモリ（ＲＡＭ）および／または読み取り専用メモリ（ＲＯＭ））を含むことができ、これらのいずれもプログラム可能、フラッシュ更新可能、および／または同様のものであり得る。そのような記憶デバイスは、限定はしないが、様々なファイルシステム、データベース構造、および／または同様のものを含む、任意の適切なデータストアを実装するように構成され得る。
【００９７】
[0100]  コンピュータシステム９００はまた、通信サブシステム９３０を含み得、それは、ワイヤレス通信インタフェース９３３によって管理および制御される（いくつかの実施形態における）ワイヤレス通信技術および／またはワイヤライン通信技術のサポートを含み得る。通信サブシステム９３０は、モデム、ネットワークカード（ワイヤレスまたはワイヤード）、赤外線通信デバイス、ワイヤレス通信デバイス、および／またはチップセット、および／または同様のものを含み得る。通信サブシステム９３０は、データおよびシグナリングがネットワーク、モバイルデバイス、他のコンピュータシステム、および／または本明細書で説明された任意の他の電子デバイスと交換されることを可能にするために、ワイヤレス通信インタフェース９３３などの１つまたは複数の入力および／または出力通信インタフェースを含み得る。「モバイルデバイス」および「ＵＥ」という用語は、本明細書では、限定はしないが、モバイルフォン、スマートフォン、ウェアラブルデバイス、モバイルコンピューティングデバイス（例えば、ラップトップ、ＰＤＡ、タブレット）、内臓モデム、ならびに自動車および他の車両コンピューティングデバイスなどの、任意のモバイル通信デバイスを指すために交換可能に使用されることに留意されたい。
【００９８】
[0101]  多くの実施形態では、コンピュータシステム９００は、ＲＡＭおよび／またはＲＯＭデバイスを含み得るワーキングメモリ９３５をさらに備える。ワーキングメモリ９３５内に位置するものとして示されるソフトウェア要素は、オペレーティングシステム９４０、デバイスドライバ、実行可能ライブラリ、および／または他のコード、例えば、アプリケーション（１つまたは複数）９４５を含むことができ、それらは、本明細書で説明されるような、様々な実施形態によって提供されるコンピュータプログラムを備え得る、および／または他の実施形態によって提供される方法を実装する、および／またはシステムを構成するように設計され得る。単に例として、図５および図６に関して説明した方法などの上記で説明された方法（１つまたは複数）に関して説明された１つまたは複数のプロシージャは、ワーキングメモリ９３５に（例えば、一時的に）記憶され、コンピュータ（および／または処理ユニット（１つまたは複数）９１０などのコンピュータ内の処理ユニット）によって実行可能であるコードおよび／または命令として実装され得、そして一態様では、そのようなコードおよび／または命令は、説明された方法に従って１つまたは複数の動作を実行するために汎用コンピュータ（または他のデバイス）を構成するおよび／または適応させるために使用され得る。
【００９９】
[0102]  これらの命令および／またはコードのセットは、上記で説明された記憶デバイス（１つまたは複数）９２５などの非一時的コンピュータ可読記憶媒体上に記憶され得る。いくつかの場合には、記憶媒体は、コンピュータシステム９００などのコンピュータシステム内に組み込まれ得る。他の実施形態では、記憶媒体は、（例えば光ディスクのようなリムーバブル媒体など）コンピュータシステムとは分離され得、および／またはインストールパッケージにおいて提供され得、その結果、記憶媒体は、そこに記憶された命令／コードを用いて汎用コンピュータをプログラムし、構成し、および／または適応させるために使用され得る。これらの命令は、コンピュータシステム９００によって（例えば、処理ユニット（１つまたは複数）９１０によって）実行可能な、実行可能コードの形態をとり得、および／または、（例えば、様々な一般的に利用可能なコンパイラ、インストールプログラム、圧縮／解凍ユーティリティなどのうちの任意のものを使用して）コンピュータシステム９００上でコンパイルおよび／またはインストールされると、実行可能コードの形態をとる、ソースおよび／またはインストール可能コードの形態をとり得る。
【０１００】
[0103]  図１０は、（例えば、図１〜図７に関連して）本明細書において上で説明したように利用され得る基地局１０００の一実施形態を示す。例えば、基地局１０００は、図５の方法５００および図６の方法６００の機能のうちの１つまたは複数を実行することができる。図１０は、単に様々な構成要素の一般化された図を提供することを意図しており、それらの構成要素のいずれかまたはすべてが適宜利用され得ることに留意されたい。いくつかの実施形態では、基地局１０００は、本明細書において上で説明されたＬＭＦ１２０、ｇＮＢ１１０、および／またはｎｇ−ｅＮＢ１１４に対応し得る。
【０１０１】
[0104]  基地局１０００は、バス１００５を介して電気的に結合され得る（または必要に応じて他の方法で通信し得る）ハードウェア要素を備えるように示されている。ハードウェア要素は、限定はしないが、１つまたは複数の汎用プロセッサ、１つまたは複数の専用プロセッサ（例えば、デジタルシグナルプロセシング（ＤＳＰ）チップ、グラフィックスアクセラレーションプロセッサ、特定用途向け集積回路（ＡＳＩＣ）、および／または同様のもの）、および／または他の処理構造または手段を含み得る処理ユニット（１つまたは複数）１０１０を含み得る。図１０に示すように、いくつかの実施形態は、所望の機能に応じて、別個のデジタルシグナルプロセッサ（ＤＳＰ）１０２０を有し得る。ワイヤレス通信に基づくロケーション決定および／または他の決定は、処理ユニット（１つまたは複数）１０１０および／またはワイヤレス通信インタフェース１０３０（以下で説明される）において提供され得る。基地局１０００はまた、限定はしないが、キーボード、ディスプレイ、マウス、マイクロフォン、ボタン（１つまたは複数）、ダイヤル（１つまたは複数）、スイッチ（１つまたは複数）、および／または同様のものを含み得る１つまたは複数の入力デバイス１０７０と、限定はしないが、ディスプレイ、発光ダイオード（ＬＥＤ）、スピーカ、および／または同様のものを含み得る１つまたは複数の出力デバイス１０１５とを含むことができる。
【０１０２】
[0105]  基地局１０００はまた、限定はしないが、基地局１０００が本明細書で説明されるように通信することを可能にし得る、モデム、ネットワークカード、赤外線通信デバイス、ワイヤレス通信デバイス、および／またはチップセット（例えば、Ｂｌｕｅｔｏｏｔｈ（登録商標）デバイス、ＩＥＥＥ８０２．１１デバイス、ＩＥＥＥ８０２．１５．４デバイス、ＷｉＦｉデバイス、ＷｉＭａｘデバイス、セルラ通信設備など）、および／または同様のものを備え得るワイヤレス通信インタフェース１０３０を含み得る。ワイヤレス通信インタフェース１０３０は、データおよびシグナリングが、ＵＥ、他の基地局（例えば、ｅＮＢ、ｇＮＢ、およびｎｇ−ｅＮＢ）、および／または他のネットワーク構成要素、コンピュータシステム、および／または本明細書で説明される任意の他の電子デバイスに通信される（例えば、送信および受信される）ことを可能にし得る。通信は、ワイヤレス信号１０３４を送るおよび／または受信する１つまたは複数のワイヤレス通信アンテナ１０３２を介して実行され得る。
【０１０３】
[0106]  基地局１０００はまた、ワイヤライン通信技術のサポートを含み得るネットワークインタフェース１０８０を含み得る。ネットワークインタフェース１０８０は、モデム、ネットワークカード、チップセット、および／または同様のものを含み得る。ネットワークインタフェース１０８０は、データが、ネットワーク、通信ネットワークサーバ、コンピュータシステム、および／または本明細書で説明される任意の他の電子デバイスと交換されることを可能にする、１つまたは複数の入力および／または出力通信インタフェースを含み得る。
【０１０４】
[0107]  多くの実施形態では、基地局１０００はメモリ１０６０をさらに備える。メモリ１０６０は、限定はしないが、ローカルおよび／またはネットワークアクセス可能ストレージ、ディスクドライブ、ドライブアレイ、光ストレージデバイス、ソリッドステートストレージデバイス、例えば、ＲＡＭおよび／またはＲＯＭを含み得、それらは、プログラム可能、フラッシュ更新可能、および／または同様のものであり得る。そのような記憶デバイスは、限定はしないが、様々なファイルシステム、データベース構造、および／または同様のものを含む、任意の適切なデータストアを実装するように構成され得る。
【０１０５】
[0108]  基地局１０００のメモリ１０６０はまた、オペレーティングシステム、デバイスドライバ、実行可能ライブラリ、および／または他のコード、例えば、１つまたは複数のアプリケーションプログラムを含むソフトウェア要素（図１０には図示せず）を備えることができ、それらは、本明細書で説明されるような、様々な実施形態によって提供されるコンピュータプログラムを備え得る、および／または他の実施形態によって提供される方法を実装する、および／またはシステムを構成するように設計され得る。単なる例として、上記で説明された方法（１つまたは複数）に関して説明された１つまたは複数のプロシージャは、基地局１０００（および／または基地局１０００内の処理ユニット（１つまたは複数）１０１０もしくはＤＳＰ１０２０）によって実行可能なメモリ１０６０中のコードおよび／または命令として実装され得る。そして一態様では、そのようなコードおよび／または命令は、説明された方法に従って１つまたは複数の動作を実行するように汎用コンピュータ（または他のデバイス）を構成するおよび／または適応させるために使用され得る。
【０１０６】
[0109]  いくつかの実施形態では、図１０のメモリ１０６０などのプロセッサ可読メモリデバイスは、図１０の処理ユニット１０１０などのプロセッサがプログラミング命令またはソフトウェアコードを実行するとき、プロセッサが、複数の機会のうちの所与の機会について、所与の機会に関連付けられた一連の連続したシンボルを有するリソースブロックから選択された指定されたシンボルを識別するパターン式を取得し得、ここにおいて、リソースブロックの各シンボルが、所与の機会の各スロット内の一意の順序付けられた位置を有するような、記憶されたソフトウェアコードまたはプログラミング命令を有し得る。プロセッサはまた、複数の機会のうちの第１の機会について、パターン式を使用して、第１の順序付けられた位置を有する第１の機会についての指定されたシンボルを識別し得る。プロセッサは、第１の機会についての指定されたシンボル中に、複数のサブキャリア周波数帯域のうちの第１のサブキャリア周波数帯域上で第１のワイヤレス位置測定信号の少なくとも一部分をさらに送信し得る。プロセッサはまた、複数の機会のうちの第２の機会について、パターン式を使用して、第１の順序付けられた位置とは異なる第２の順序付けられた位置を有する第２の機会についての指定されたシンボルを識別し得る。プロセッサはまた、第２の機会についての指定されたシンボル中に、第１のサブキャリア周波数帯域上で第２のワイヤレス位置測定信号の少なくとも一部分を送信し得る。
【０１０７】
[0110]  いくつかの実施形態では、図１０の基地局１０００などの装置は、実行されると、装置に、複数の機会のうちの所与の機会について、所与の機会に関連付けられた一連の連続したシンボルを有するリソースブロックから選択された指定されたシンボルを識別するパターン式を取得することと、ここにおいて、リソースブロックの各シンボルは、所与の機会の各スロット内の一意の順序付けられた位置を有し、複数の機会のうちの第１の機会について、パターン式を使用して、第１の順序付けられた位置を有する第１の機会についての指定されたシンボルを識別することと、第１の機会についての指定されたシンボル中に、複数のサブキャリア周波数帯域のうちの第１のサブキャリア周波数帯域上で第１のワイヤレス位置測定信号の少なくとも一部分を送信することと、複数の機会のうちの第２の機会について、パターン式を使用して、第１の順序付けられた位置とは異なる第２の順序付けられた位置を有する第２の機会についての指定されたシンボルを識別することと、第２の機会についての指定されたシンボル中に、第１のサブキャリア周波数帯域上で第２のワイヤレス位置測定信号の少なくとも一部分を送信することと、を行わせる、処理ユニット１０１０などのプロセッサによって実行され得る処理命令を記憶したメモリ（例えば、メモリ１０６０）などのアクションを実行するための手段を含み得る。
【０１０８】
[0111]  いくつかの実施形態では、図８のメモリ８６０などのプロセッサ可読メモリデバイスは、図８の処理ユニット８１０などのプロセッサがプログラミング命令またはソフトウェアコードを実行するとき、プロセッサが、ワイヤレス通信ネットワークにおける基地局についての情報を取得し得、情報が、複数の機会のうちの所与の機会について、基地局のための指定されたシンボルを識別するパターン式を備え、ここにおいて、指定されたシンボルは、所与の機会に関連付けられた一連の連続したシンボルを有するリソースブロックから選択され、リソースブロックの各シンボルは、所与の機会の各スロット内の一意の順序付けられた位置を有するような記憶されたソフトウェアコードまたはプログラミング命令を有し得る。プロセッサはまた、複数の機会のうちの第１の機会についてのパターン式に基づいて、基地局が第１のワイヤレス位置測定信号の少なくとも一部分を送信する、基地局のための指定されたシンボルを識別し得る。プロセッサは、基地局のための指定されたシンボルに基づいて、第１のワイヤレス位置測定信号の少なくとも一部分の測定値をさらに取得し得る。
【０１０９】
[0112]  いくつかの実施形態では、図８のＵＥ１０５などの装置は、実行されると、装置に、ワイヤレス通信ネットワークにおける基地局についての情報を取得することと、情報が、複数の機会のうちの所与の機会について、基地局のための指定されたシンボルを識別するパターン式を備え、ここにおいて、指定されたシンボルは、所与の機会に関連付けられた一連の連続したシンボルを有するリソースブロックから選択され、ここにおいて、リソースブロックの各シンボルは、所与の機会の各スロット内の一意の順序付けられた位置を有し、複数の機会のうちの第１の機会についてのパターン式に基づいて、基地局が第１のワイヤレス位置測定信号の少なくとも一部分を送信する、基地局のための指定されたシンボルを識別することと、基地局のための指定されたシンボルに基づいて、第１のワイヤレス位置測定信号の少なくとも一部分の測定値を取得することと、を行わせる、処理ユニット８１０などのプロセッサによって実行され得る処理命令を記憶したメモリ（例えば、メモリ８６０）などのアクションを実行するための手段を含み得る。
【０１１０】
[0113]  特定の要件に従って実質的な変形が行われ得ることが当業者には明らかであろう。例えば、カスタマイズされたハードウェアも使用され得、および／または特定の要素がハードウェア、ソフトウェア（アプレットまたは同様のものなどのポータブルソフトウェアを含む）、またはその両方で実装され得る。さらに、ネットワーク入力／出力デバイスなどの他のコンピューティングデバイスへの接続が用いられ得る。
【０１１１】
[0114]  添付の図面を参照すると、メモリを含み得る構成要素は、非一時的機械可読媒体を含み得る。本明細書で使用する「機械可読媒体」、「コンピュータ可読媒体」、「コンピュータ可読メモリデバイス」、および「機械可読媒体」という用語は、機械を特定の方式で動作させるデータを提供することに関与する任意の記憶媒体を指す。上記で提供された実施形態では、様々なマシン可読媒体が、実行のために処理ユニットおよび／または他のデバイス（１つまたは複数）に命令／コードを提供することに関与し得る。追加または代替として、機械可読媒体は、そのような命令／コードを記憶および／または搬送するために使用され得る。多くの実装形態では、コンピュータ可読媒体は、物理的および／または有形の記憶媒体である。そのような媒体は、不揮発性媒体、揮発性媒体、および伝送媒体を含むが、それらに限定されない、多くの形態をとり得る。コンピュータ可読媒体の一般的な形態は、例えば、磁気および／または光学媒体、パンチカード、紙テープ、穴のパターンを有する任意の他の物理的媒体、ＲＡＭ、ＰＲＯＭ、ＥＰＲＯＭ、ＥＥＰＲＯＭ（登録商標）、ＦＬＡＳＨ（登録商標）−ＥＰＲＯＭ、任意の他のメモリチップもしくはカートリッジ、以下で説明される搬送波、またはコンピュータが命令および／またはコードをそこから読み取ることができる任意の他の媒体を含む。
【０１１２】
[0115]  本明細書で説明された方法、システム、およびデバイスは例である。様々な実施形態は、必要に応じて、様々なプロシージャまたは構成要素を省略、置換、または追加し得る。例えば、ある特定の実施形態に関して説明される特徴は、様々な他の実施形態において組み合わせられ得る。実施形態の異なる態様および要素は、同様の方法で組み合わせられ得る。本明細書で提供される図の様々な構成要素は、ハードウェアおよび／またはソフトウェアにおいて具現化されることができる。また、技術は発展し、したがって、要素の多くは、本開示の範囲をそれらの特定の例に限定しない例である。例えば、第５世代（５Ｇ）ネットワークを超える将来のネットワークが、本明細書の実施形態を実装し得る。
【０１１３】
[0116]  そのような信号をビット、情報、値、要素、シンボル、文字、変数、項、数／番号、数字、または同様のものと呼ぶことは、主に共通使用の理由で、時には便利であることが分かっている。しかしながら、これらの用語または同様の用語のすべては、適切な物理量に関連付けられるべきであり、単に便利なラベルであることを理解されたい。具体的にそうではないと明記しない限り、上記の説明から明らかなように、本明細書全体を通して、「処理する」、「算出する」、「計算する」、「決定する」、「確認する」、「識別する」、「関連付ける」、「測定する」、「実行する」、または同様のものなどの用語を利用する説明は、専用コンピュータまたは同様の専用電子コンピューティングデバイスなどの特定の装置のアクションまたはプロセスを指すことは理解される。したがって、本明細書の文脈では、専用コンピュータまたは同様の専用電子コンピューティングデバイスは、専用コンピュータまたは同様の専用電子コンピューティングデバイスのメモリ、レジスタ、または他の情報ストレージデバイス、伝送デバイス、またはディスプレイデバイス内の物理的電子、電気、または磁気量として通常表される信号を操作または変換することができる。汎用コンピュータは、例えば、図５〜図７で説明された方法等の、そのような上述のアクションまたはプロセスを実行するソフトウェア／コード／実行可能命令のインストールおよび実行によって、専用コンピュータになり得ることを理解されたい。
【０１１４】
[0117]  本明細書で使用される「および」および「または」という用語は、そのような用語が使用される文脈に少なくとも部分的に依存し得る様々な意味を含み得る。通常、「または」という用語は、リスト（例えば、Ａ、Ｂ、またはＣ）を関連付けるために使用される場合、本明細書では包括的な意味で使用されるＡ、Ｂ、およびＣ、ならびに本明細書では排他的な意味で使用されるＡ、Ｂ、またはＣを意味することが意図される（および意味し得る）。同様に、「および」という用語は、リスト（例えば、Ａ、Ｂ、およびＣ）を関連付けるために使用される場合、本明細書では包括的な意味で使用されるＡ、Ｂ、およびＣ、ならびに本明細書では排他的な意味で使用されるＡ、Ｂ、またはＣを意味することが意図される（および意味し得る）。加えて、本明細書で使用される「１つまたは複数の」という用語は、任意の特徴、構造、もしくは特性を単数で説明するために使用され得、または特徴、構造、または特性の何らかの組合せを説明するために使用され得る。しかしながら、これは例示的な例にすぎず、特許請求される主題はこの例に限定されないことに留意されたい。さらに、「のうちの少なくとも１つ」という用語は、Ａ、Ｂ、またはＣ等のリストを関連付けるために使用される場合、例えばＡ、ＡＢ、ＡＡ、ＡＡＢ、ＡＡＢＢＣＣＣ等のＡ、Ｂ、および／またはＣの任意の組合せを意味するように解釈されることができる。
【０１１５】
[0118]  いくつかの実施形態を説明したが、本開示の趣旨から逸脱することなく、様々な修正、代替構成、および同等物が使用され得ることを理解されたい。例えば、上記の要素は、単により大きいシステムの構成要素であり得、ここにおいて、例えば、他の規則が、様々な実施形態の適用に優先し得、またはそうでなければ、様々な実施形態の適用を修正し得る。また、上記の要素が考慮される前、間、または後に、いくつかのステップが行われ得る。したがって、上記の説明は、本開示の範囲を限定するものではない。
【０１１６】
[0119]  本明細書に説明された実施形態は、相互排他的であることを意図していない。特徴のすべての組合せが明示的に説明されるわけではないが、当業者は、様々な実施形態で説明されたいくつかの特徴はオプションであり、および／または他の実施形態で説明された特徴と組み合わせられ得ることを理解するであろう。さらに、当業者は、様々な実施形態において説明されたいくつかの特徴が、他の実施形態において説明された特徴と組み合わされない可能性があることを理解するであろう。さらに、当業者は、様々な実施形態で説明されたいくつかの特徴は、特徴が矛盾する場合、他の実施形態で説明された特徴と組み合わせられない可能性があることを理解するであろう。
【図１】
2021521683.tif 000006
【図２】
2021521683.tif 000007
【図３】
2021521683.tif 000008
【図４】
2021521683.tif 000009
【図５】
2021521683.tif 000010
【図６】
2021521683.tif 000011
【図７】
2021521683.tif 000012
【図８】
2021521683.tif 000013
【図９】
2021521683.tif 000014
【図１０】
2021521683.tif 000015
【国際調査報告】
2021521683.tif 000016
2021521683.tif 000017
2021521683.tif 000018